(57)【要約】      （修正有）【課題】装置間の送信又はストリーミング通信を可能にし、外部音響シグナルのための有効なノイズキャンセレーション機構を搭載した補聴装置を提供する。【解決手段】補聴装置２において、第１音響入力トランスデューサ１０は、第１音響シグナル１２を、処理ユニット６に対する第１入力シグナル１４に変換する。処理ユニットは、第１入力シグナルを処理済第１シグナル８に変換する。第２入力トランスデューサ１６は、音響出力トランスデューサ２０からのオーディオ出力シグナル２２と、ユーザ２６からの体内伝導音声シグナル２４を第２入力シグナル１８に変換する。ユーザ音声抽出ユニット２８は、処理済第１シグナルを受信するために処理ユニットに接続し、第２入力シグナルを受信するために第２入力トランスデューサに接続している。ユーザ音声抽出ユニットは、第２入力シグナルと処理済第１シグナルに基づき、音声シグナル３０を外部装置４に送信する。【選択図】図１
2018137735.tif 000002
【特許請求の範囲】
【請求項１】
少なくとも１つの外部装置とのオーディオ通信のための補聴装置であって、前記補聴装置は、
処理済第１シグナルを与えるための処理ユニットと、
前記処理ユニットに接続される第１音響入力トランスデューサであって、第１音響シグナルを、前記処理済第１シグナルを与えるための前記処理ユニットに対する第１入力シグナルに変換するように構成される、前記第１音響入力トランスデューサと、
第２入力シグナルを与えるための第２入力トランスデューサと、
前記処理ユニットに接続される音響出力トランスデューサであって、前記処理済第１シグナルを前記音響出力トランスデューサのオーディオ出力シグナルに変換するように構成される、前記音響出力トランスデューサであって、
前記第２入力シグナルは、前記第２入力トランスデューサにおいて、前記音響出力トランスデューサからの前記オーディオ出力シグナルと、前記補聴装置のユーザからの体内伝導音声シグナルを少なくとも変換することによって与えられる、前記音響出力トランスデューサと、
音声シグナルを抽出するためのユーザ音声抽出ユニットであって、前記処理済第１シグナルを受信するために前記処理ユニットに接続されているとともに、前記第２入力シグナルを受信するために前記第２入力トランスデューサに接続されている、前記ユーザ音声抽出ユニットと、を備えており、
前記ユーザ音声抽出ユニットは、前記第２入力シグナルと前記処理済第１シグナルとに基づいて、前記音声シグナルを抽出するように構成されており、
前記音声シグナルは、少なくとも１つの外部装置に送信されるように構成されている、
補聴装置。
【請求項２】
前記体内伝導音声シグナルが、前記ユーザの口および喉から発生し、前記ユーザの骨構造、軟骨、軟組織、組織および／または皮膚を通って前記ユーザの耳に伝わり、前記第２入力トランスデューサによって検知されるように構成される、請求項１に記載の補聴装置。
【請求項３】
前記第２入力トランスデューサが、前記補聴装置の前記ユーザの外耳道に配置されるように構成されている、請求項１または２に記載の補聴装置。
【請求項４】
前記第２入力トランスデューサが、振動センサおよび／または骨伝導センサおよび／または運動センサおよび／または音響センサである、請求項１から３のいずれか一項に記載の補聴装置。
【請求項５】
前記第１音響入力トランスデューサは、前記補聴装置の前記ユーザの外耳道の外側に配置されるように構成され、前記第１音響入力トランスデューサは、前記ユーザの周囲からの音を検出するように構成される、請求項１から４のいずれか一項に記載の補聴装置。
【請求項６】
第１の送信されたシグナルが、前記少なくとも１つの外部装置から前記補聴装置に与えられ、前記第１の送信されたシグナルは、前記音声シグナルを抽出するための前記ユーザ音声抽出ユニットに与えられる前記処理済第１シグナルおよび前記第２入力シグナルに含まれる、請求項１から５のいずれか一項に記載の補聴装置。
【請求項７】
前記ユーザ音声抽出ユニットが、前記第２入力シグナルから前記オーディオ出力シグナルをキャンセルするように構成された第１フィルタを備えている、請求項１から６のいずれか一項に記載の補聴装置。
【請求項８】
前記補聴装置は、抽出された前記音声シグナルを前記少なくとも１つの外部装置に送信する前に、抽出された前記音声シグナルおよび／または前記第１入力シグナルに基づいて、抽出された前記音声シグナルを処理するための音声処理ユニットを備えている、請求項１から７のいずれか一項に記載の補聴装置。
【請求項９】
前記音声処理ユニットは、抽出された前記音声シグナル中に存在する前記第１音響シグナルの任意の部分を最低限にするように構成された第２フィルタを少なくとも備えている、請求項８に記載の補聴装置。
【請求項１０】
前記音声処理ユニットは、抽出された前記音声シグナルのスペクトルの内容を前記体内伝導音声シグナルとは異なるスペクトルの内容を有するように形成するためのスペクトル形成ユニットを備えている、請求項８または９に記載の補聴装置。
【請求項１１】
前記音声処理ユニットは、抽出された前記音声シグナルの帯域幅を拡張するように構成された帯域幅拡張ユニットを備えている、請求項８から１０のいずれか一項に記載の補聴装置。
【請求項１２】
前記音声処理ユニットは、前記音声処理ユニットの電源を入れる／切断するように構成される音声活動検出器を備えており、抽出された前記音声シグナルは、前記音声活動検出器に入力として与えられる、請求項８から１１のいずれか一項に記載の補聴装置。
【請求項１３】
抽出された前記音声シグナルは、前記第２入力トランスデューサにおいて、前記第１音響シグナルをさらに変換することによって与えられる、請求項１から１２のいずれか一項に記載の補聴装置。
【請求項１４】
第１補聴装置と第２補聴装置とを備える両耳用補聴装置システムであって、前記第１補聴装置および／または前記第２補聴装置は、請求項１から１３のいずれか一項に記載の補聴装置であり、前記第１補聴装置からの抽出された前記音声シグナルは、第１の抽出された音声シグナルであり、前記第２補聴装置からの抽出された前記音声シグナルは、第２の抽出された音声シグナルであり、前記第１の抽出された音声シグナルおよび／または前記第２の抽出された音声シグナルは、前記少なくとも１つの外部装置に送信されるように構成される、両耳用補聴装置システム。
【請求項１５】
補聴装置と少なくとも１つの外部装置との間のオーディオ通信のための前記補聴装置における方法であって、前記補聴装置は、処理ユニットと、第１音響入力トランスデューサと、第２入力トランスデューサと、音響出力トランスデューサと、ユーザ音声抽出ユニットとを備えており、前記方法は、
前記処理ユニットにおいて、処理済第１シグナルを与えることと、
前記第１音響入力トランスデューサにおいて、第１音響シグナルを第１入力シグナルに変換することと、
前記第２入力トランスデューサにおいて、第２入力シグナルを与えることと、
前記音響出力トランスデューサにおいて、前記処理済第１シグナルをオーディオ出力シグナルに変換することであって、
前記第２入力シグナルは、前記第２入力トランスデューサにおいて、前記音響出力トランスデューサからの前記オーディオ出力シグナルと、前記補聴装置のユーザからの体内伝導音声シグナルを少なくとも変換することによって与えられる、前記処理済第１シグナルを前記オーディオ出力シグナルに変換することと、
前記ユーザ音声抽出ユニットにおいて、前記第２入力シグナルおよび前記処理済第１シグナルに基づいて、音声シグナルを抽出することと、
抽出された前記音声シグナルを少なくとも１つの外部装置に送信することと、
を含む、方法。
【発明の詳細な説明】
【技術分野】
【０００１】
本開示は、少なくとも１つの外部装置とのオーディオ通信のための方法および補聴装置に関する。補聴装置は、処理済第１シグナルを与えるための処理ユニットと、第１音響シグナルを、処理済第１シグナルを与えるための処理ユニットに対する第１入力シグナルに変換するために、処理ユニットに接続する第１音響入力トランスデューサと、第２入力シグナルを与えるための第２入力トランスデューサと、音響出力トランスデューサのために処理済第１シグナルをオーディオ出力シグナルに変換するための処理ユニットに接続する、音響出力トランスデューサとを備えている。
【背景技術】
【０００２】
補聴装置と外部装置（例えば、別の電子機器、例えば、別の補聴装置）との間のストリーミング通信（例えば、聴力保護装置に接続した状態でのストリーミング通信）が増えてきており、将来的に大きな可能性を有する。しかし、ストリーミングされたオーディオシグナルまたは送信されたオーディオシグナルの中のノイズは、多くはシグナルの質を下げてしまう。
【発明の概要】
【発明が解決しようとする課題】
【０００３】
したがって、装置間の送信またはストリーミング通信を可能にしつつ、外部音響オーディオシグナルのための有効なノイズキャンセレーション機構が必要とされている。有効なノイズキャンセレーションは、ユーザ自身の声が検知される間に提供されてもよい。さらに、有効なノイズキャンセレーションは、ユーザ自身の声が検知されるタイミングである双方向通信の提供中に提供されてもよい。
【課題を解決するための手段】
【０００４】
少なくとも１つの外部装置とのオーディオ通信のための補聴装置が開示される。補聴装置は、処理済第１シグナルを与えるための処理ユニットを備える。補聴装置は、処理ユニットに接続される第１音響入力トランスデューサであって、第１音響シグナルを、処理済第１シグナルを与えるための処理ユニットに対する第１入力シグナルに変換するように構成される、第１音響入力トランスデューサ、を備える。補聴装置は、第２入力シグナルを与えるための第２入力トランスデューサを備える。補聴装置は、処理ユニットに接続される音響出力トランスデューサであって、処理済第１シグナルを音響出力トランスデューサのオーディオ出力シグナルに変換するように構成される、音響出力トランスデューサを備える。第２入力シグナルは、第２入力トランスデューサにおいて、音響出力トランスデューサからのオーディオ出力シグナルと、補聴装置のユーザからの体内伝導音声シグナルを少なくとも変換することによって与えられる。補聴装置は、音声シグナルを抽出するためのユーザ音声抽出ユニットであって、処理済第１シグナルを受信するために処理ユニットに接続されているとともに、第２入力シグナルを受信するために第２入力トランスデューサに接続されている、ユーザ音声抽出ユニット、を備える。ユーザ音声抽出ユニットは、第２入力シグナルと処理済第１シグナルとに基づいて、音声シグナルを抽出するように構成されている。音声シグナルは、少なくとも１つの外部装置に送信されるように構成されている。
【０００５】
補聴装置と少なくとも１つの外部装置との間のオーディオ通信のための補聴装置における方法も開示される。補聴装置は、処理ユニットと、第１音響入力トランスデューサと、第２入力トランスデューサと、音響出力トランスデューサと、ユーザ音声抽出ユニットとを備えている。方法は、処理ユニットにおいて、処理済第１シグナルを与えることを含む。方法は、第１音響入力トランスデューサにおいて、第１音響シグナルを第１入力シグナルに変換することを含む。方法は、第２入力トランスデューサにおいて、第２入力シグナルを与えることを含む。方法は、音響出力トランスデューサにおいて、処理済第１シグナルをオーディオ出力シグナルに変換することを含む。第２入力シグナルは、第２入力トランスデューサにおいて、音響出力トランスデューサからのオーディオ出力シグナルと、補聴装置のユーザからの体内伝導音声シグナルを少なくとも変換することによって与えられる。方法は、ユーザ音声抽出ユニットにおいて、第２入力シグナルおよび処理済第１シグナルに基づいて、音声シグナルを抽出することを含む。方法は、抽出された音声シグナルを少なくとも１つの外部装置に送信することを含む。
【０００６】
開示される補聴装置および方法は、少なくとも補聴装置から外部装置への送信またはストリーミング通信を可能にしつつ、外部音響オーディオシグナルのための有効なノイズキャンセレーション機構を提供する。
【０００７】
補聴装置および方法によって、２つの補聴装置間（例えば、２人のユーザによって着用された２つの補聴装置間）の送信またはストリーミング通信が可能になる。したがって、第２のユーザが第１のユーザの音声を聞くことができるように、第１補聴装置のユーザの音声を、第２のユーザの補聴装置にストリーミングすることができ、その逆も可能である。
【０００８】
同時に、補聴装置は、補聴装置内のオーディオループに入る外部音を除外し、それにより、第１のユーザの外部からのノイズが除去され、および／またはフィルタによって除去されるため、第２の補聴装置のユーザは、第１のユーザの周囲からのノイズを受信しない。
【０００９】
したがって、第１補聴装置のユーザの音声は、周囲のノイズを除去しつつ、第２補聴装置に対して音として送信されるか、またはストリーミングされる。第１補聴装置のユーザも、第１補聴装置の周囲のノイズがキャンセルされつつ、第２補聴装置または別の外部装置から送信された音またはストリーミングされた音を受信してもよい。
【００１０】
第１音響入力トランスデューサの提供（例えば、補聴装置のユーザの周囲からの音を除外するための参照マイクロフォンとして作用し得る外側マイクロフォンを補聴装置中に提供すること）によって、周囲のノイズをキャンセルすることができる。
【００１１】
補聴装置はまた、補聴装置のユーザの耳閉塞感を防ぎ、なくし、および／または除去してもよい。このことは、第２入力トランスデューサの提供（例えば、ユーザの外耳道内マイクロフォンのような、外耳道挿入型の入力トランスデューサを提供すること）によるものである。
【００１２】
補聴装置は、音響シグナルをキャンセルするように構成されていてもよい。例えば、少なくとも１つの外部装置または別の外部装置から補聴装置に第１の送信またはストリーミングされたシグナル、体内伝導音声シグナル、または可能ならば振動シグナルである体内伝導音声シグナルのほとんど大部分は、補聴装置内の音響処理ループからはずれていてもよい。したがって、第１の送信またはストリーミングされたシグナルと体内伝導（例えば、振動）音声シグナルは、補聴装置内に保持され、維持されるのであって、キャンセルされないだろう。
【００１３】
補聴装置は、補聴器、両耳用補聴装置、耳あな（ＩＴＥ）型補聴装置、外耳道挿入（ＩＴＣ）型補聴装置、完全外耳道挿入（ＣＩＣ）型補聴装置、耳かけ（ＢＴＥ）型補聴装置、外耳道レシーバ挿入（ＲＩＣ）型補聴装置であってもよい。補聴装置は、デジタル補聴装置であってもよい。補聴装置は、ハンズフリーモバイル通信装置、発話認識装置などであってもよい。補聴装置または補聴器は、補聴装置または補聴器のユーザの難聴を補うような構成の処理ユニットのために構成されていてもよく、またはこのような処理ユニットを備えていてもよい。
【００１４】
補聴装置は、少なくとも１つの外部装置とのオーディオ通信のために構成されている。補聴装置は、補聴装置ユーザの耳の中に着用されるように構成される。補聴装置ユーザは、両耳または片方の耳に補聴装置を着用してもよい。少なくとも１つの外部装置は、ユーザとは別の人が着用していてもよく、持ち運びしていてもよく、携帯していてもよく、付着していてもよく、隣接していてもよく、接触していてもよく、接続などしていてもよい。外部装置と関連する他の人は、補聴装置のユーザとオーディオ通信している。少なくとも１つの外部装置は、抽出された音声シグナルを補聴装置から受信するように構成されている。したがって、少なくとも１つの外部装置に関連する人は、補聴装置のユーザが話すことを聞くことができ、一方、補聴装置のユーザの周囲のノイズは、キャンセルされるか、または除去される。補聴装置のユーザの音声シグナルは、シグナルが少なくとも１つの外部装置に送信されるときに、補聴装置のユーザの位置に存在するノイズがキャンセルされるか、または低減されるように、ユーザ音声抽出ユニットにおいて抽出される。
【００１５】
オーディオ通信は、補聴装置からのシグナルを送信することを含んでいてもよい。オーディオ通信は、シグナルを補聴装置に送信することを含んでいてもよい。オーディオ通信は、補聴装置からシグナルを受信することを含んでいてもよい。オーディオ通信は、シグナルを少なくとも１つの外部装置から受信することを含んでいてもよい。オーディオ通信は、シグナルを少なくとも外部装置から送信することを含んでいてもよい。オーディオ通信は、補聴装置と少なくとも１つの外部装置との間にシグナルを送信すること、例えば、シグナルを補聴装置へと送信すること、シグナルを補聴装置から送信すること、例えば、シグナルを少なくとも１つの外部装置と送信すること、シグナルを少なくとも１つの外部装置から送信することを含んでいてもよい。
【００１６】
オーディオ通信は、補聴装置のユーザと、このユーザの会話相手（例えば、配偶者、家族、友人、仲間など）との間の通信であってもよい。補聴装置のユーザは、難聴を補うために補聴装置を着用していてもよい。補聴装置のユーザは、例えば、コールセンターで働く場合、または毎日多くの電話をとる場合、または兵士であって、仲間の兵士と通信する必要があるか、または命令または情報を与える必要がある場合のように、仕事用のツールとして補聴装置を着用していてもよい。
【００１７】
少なくとも１つの外部装置は、補聴装置、テレフォン、フォン、スマートフォン、コンピュータ、タブレット、ヘッドセット、無線通信のための装置などであってもよい。
【００１８】
補聴装置は、処理済第１シグナルを与えるための処理ユニットを備えている。処理ユニットは、補聴装置のユーザの難聴を補うような構成であってもよい。処理済第１シグナルは、少なくとも音響出力トランスデューサに与えられる。
【００１９】
補聴装置は、第１音響シグナルを、処理済第１シグナルを与えるための処理ユニットに対する第１入力シグナルに変換するために処理ユニットに接続される第１音響入力トランスデューサを備えている。第１音響入力トランスデューサは、マイクロフォンであってもよい。第１音響入力トランスデューサは、補聴装置中の外側マイクロフォン、例えば、補聴装置のユーザの外側から（例えば、補聴装置のユーザの周囲から）の音響シグナルを受信するために補聴装置の中、または補聴装置に接して、または補聴装置に配置されるマイクロフォンであってもよい。第１音響入力トランスデューサにおいて受信される第１音響シグナルは、音響シグナル、例えば、音（例えば、補聴装置のユーザの環境中に存在する周囲の音のような音）であってもよい。補聴装置のユーザがオフィス空間にいる場合、第１音響入力シグナルは、同僚の声、オフィス装置、例えば、コンピュータ、キーボード、プリンタ、コーヒーマシンからの音であってもよい。補聴装置のユーザが、例えば、戦地にいる兵士である場合、第１音響シグナルは、軍需資材からの音、仲間の兵士からの音声であってもよい。
【００２０】
第１音響シグナルは、第１音響入力トランスデューサに与えられるアナログシグナルである。第１入力シグナルは、処理ユニットに与えられるデジタルシグナルである。アナログ−デジタル変換器（Ａ／Ｄ変換器）は、第１音響入力トランスデューサからのアナログシグナルを、処理ユニットが受信するデジタルシグナルに変換するために、第１音響入力トランスデューサと処理ユニットとの間に配置されてもよい。処理ユニットは、処理済第１シグナルを与える。
【００２１】
処理ユニットに入る前にシグナルを前処理するための前処理ユニットが、処理ユニットの前に備えられてもよい。処理ユニットを出た後でシグナルを後処理するための後処理ユニットが、処理ユニットの後に備えられてもよい。
【００２２】
補聴装置は、第２入力シグナルを与えるための第２入力トランスデューサを備えている。第２入力トランスデューサは、補聴装置がユーザに着用される場合に、補聴装置のユーザの耳、例えば、外耳道の中に配置される内部入力トランスデューサであってもよい。
【００２３】
補聴装置は、処理済第１シグナルを音響出力トランスデューサのためのオーディオ出力シグナルに変換するために処理ユニットに接続されている音響出力トランスデューサを備えている。音響出力トランスデューサは、ラウドスピーカー、レシーバ、スピーカーなどであってもよい。音響出力トランスデューサは、補聴装置がユーザに着用される場合に、補聴装置のユーザの耳、例えば、外耳道の中に配置されてもよい。デジタル−アナログ変換器（Ｄ／Ａ変換器）は、処理ユニットからのデジタルシグナルを、音響出力トランスデューサが受信するアナログシグナルに変換するために、音響出力トランスデューサと処理ユニットとの間に備えられてもよい。音響出力トランスデューサによって与えられるオーディオ出力シグナルは、第２入力トランスデューサに与えられる。
【００２４】
第２入力シグナルは、第２入力トランスデューサにおいて、音響出力トランスデューサからの少なくともオーディオ出力シグナルと、補聴装置のユーザからの体内伝導音声シグナルを変換することによって与えられる。第２入力トランスデューサは、オーディオ出力シグナルおよび体内伝導音声シグナルよりもっと多くのシグナルを受信してもよい。したがって、第２入力シグナルは、オーディオ出力シグナルおよび体内伝導音声シグナルよりもっと多くのシグナルを変換することによって与えられてもよい。例えば、第１音響シグナルも、第２入力トランスデューサに与えられてもよく、これにより、第１音響入力シグナルを使用し、第２入力シグナルを与えてもよい。したがって、第１音響シグナルは、第１音響入力トランスデューサと第２入力トランスデューサの両方において受信されてもよい。
【００２５】
したがって、第２入力トランスデューサは、音響出力トランスデューサからのオーディオ出力シグナルと、補聴装置のユーザからの体内伝導音声シグナルの両方を受信するように構成される。
【００２６】
体内伝導音声シグナルは、スペクトル的に改変された態様の、ユーザの口から発生する音声または発声シグナルであってもよい。
【００２７】
補聴装置は、音声シグナルを抽出するためのユーザ音声抽出ユニットを備えている。ユーザ音声抽出ユニットは、処理済第１シグナルを受信するために処理ユニットに接続されている。ユーザ音声抽出ユニットは、第２入力シグナルを受信するために第２入力トランスデューサにも接続されている。ユーザ音声抽出ユニットは、第２入力シグナルおよび処理済第１シグナルに基づいて、ユーザの音声シグナルを抽出するように構成されている。音声シグナルが抽出されたら、少なくとも１つの外部装置に送信するように構成されている。抽出されたユーザの音声シグナルは、電気シグナルであって、音響シグナルではない。
【００２８】
アナログ−デジタル変換器（Ａ／Ｄ変換器）は、第２入力トランスデューサからのアナログシグナルを、ユーザ音声抽出ユニットにおいて受信されるデジタルシグナルに変換するために、第２入力トランスデューサとユーザ音声抽出ユニットとの間に備えられてもよい。
【００２９】
補聴装置におけるフィルタリング（以下を参照）が、音響出力トランスデューサからのオーディオ出力シグナルをほとんど全体的に除去し得るため、第２入力トランスデューサ（例えば、内部入力トランスデューサである）に到達するオーディオシグナルは、ほとんど体内伝導音声シグナルのみからなるものであってもよい。したがって、音響出力トランスデューサからのオーディオ出力シグナルは、第２入力トランスデューサに入る前にフィルタリングによって除去されてもよい。音響出力トランスデューサからのオーディオ出力シグナルは、主に、第１入力トランスデューサにおいて受信される第１音響シグナルからなっていてもよい。
【００３０】
いくつかの実施形態では、体内伝導音声シグナルがユーザの口および喉から発生し、ユーザの骨構造、軟骨、軟組織、組織および／または皮膚を通ってユーザの耳に伝わり、第２入力トランスデューサによって検知されるように構成される。体内伝導音声シグナルは、音響シグナルであってもよい。体内伝導音声シグナルは、振動シグナルであってもよい。体内伝導音声シグナルは、音響シグナルと振動シグナルの組み合わせであるシグナルであってもよい。体内伝導音声シグナルは、低周波シグナルであってもよい。体内を通って伝導しないが、空気だけを通って伝導するか、または主に空気を通って伝導する対応する音声シグナルは、もっと周波数の高いシグナルであってもよい。体内伝導音声シグナルは、外耳道の外側の対応する音声シグナル、すなわち、体内を通って伝導しないが、空気だけを通って伝導するか、または主に空気を通って伝導する音声シグナルよりも低周波エネルギーが多く、高周波エネルギーが少なくてもよい。体内伝導音声シグナルは、体内を通って伝導しないが、空気だけを通って伝導する対応する音声シグナルとは異なるスペクトルの内容を有していてもよい。体内伝導音声シグナルは、ユーザの体内と、空気の両方を通って伝導してもよい。体内伝導音声シグナルは、骨伝導シグナル、例えば、純粋な骨伝導シグナルではない。体内伝導シグナルは、第２入力トランスデューサによって、補聴装置のユーザの外耳道において受信されるべきものである。体内伝導音声シグナルは、音声または発声が作られるユーザの口および喉からユーザの体内を通って伝わる。体内伝導音声シグナルは、ユーザの骨、骨構造、軟骨、軟組織、組織および／または皮膚によって、ユーザの体内を通って伝わる。体内伝導音声シグナルは、体内物質を通って少なくとも部分的に伝わり、したがって、体内伝導音声シグナルは、少なくとも部分的に振動シグナルであってもよい。ユーザの体内の空気腔も存在していてもよいため、体内伝導音声シグナルは、少なくとも部分的に空気によって伝わるシグナルであってもよく、したがって、体内伝導音声シグナルは、少なくとも部分的に音響シグナルであってもよい。
【００３１】
いくつかの実施形態では、第２入力トランスデューサが、補聴装置のユーザの外耳道に配置されるように構成されている。第２入力トランスデューサは、外耳道の中に完全に配置されるように構成されていてもよい。
【００３２】
いくつかの実施形態では、第２入力トランスデューサが、振動センサおよび／または骨伝導センサおよび／または運動センサおよび／または音響センサである。第２入力トランスデューサは、１つ以上のセンサの組み合わせ、例えば、振動センサ、骨伝導センサ、運動センサおよび音響センサの１つ以上の組み合わせであってもよい。一例として、第２入力トランスデューサは、ユーザの外耳道の中に配置されるように構成された振動センサおよび音響入力トランスデューサ、例えばマイクロフォンであってもよい。
【００３３】
いくつかの実施形態では、第１音響入力トランスデューサは、補聴装置のユーザの外耳道の外側に配置されるように構成され、第１音響入力トランスデューサは、ユーザの周囲からの音を検出するように構成される。第１音響入力トランスデューサは、任意の方向を向いていてもよく、したがって、任意の方向から来る音を検知してもよい。第１音響入力トランスデューサは、例えば、完全外耳道挿入（ＣＩＣ）型補聴装置および／または耳あな（ＩＴＥ）型補聴装置のために、例えば、補聴装置のフェイスプレートに配置されてもよい。第１音響入力トランスデューサは、耳かけ（ＢＴＥ）型補聴装置および／または外耳道レシーバ挿入（ＲＩＣ）型補聴装置のために、例えば、ユーザの耳の後ろに配置されてもよい。
【００３４】
いくつかの実施形態では、第１の送信されたシグナルが、少なくとも１つの外部装置から補聴装置に与えられ、第１の送信されたシグナルは、音声シグナルを抽出するためのユーザ音声抽出ユニットに与えられる処理済第１シグナルおよび第２入力シグナルに含まれる。第１の送信されたシグナルは、ストリーミングされたシグナルであってもよい。第１の送信されたシグナルは、別の補聴装置、スマートフォン、配偶者のマイクロフォン、メディアコンテンツデバイス、ＴＶストリーミングなどからのものであってもよい。第１の送信されたシグナルは、少なくとも１つの外部装置および／または別の外部装置からのものであってもよい。第１の送信されたシグナルは、１つのデバイスからの１つのシグナルであってもよく、および／または多くのデバイスからの多くのシグナルの組み合わせ、例えば、通話からのシグナルと、メディアコンテンツからのシグナルとの両方などであってもよい。したがって、第１の送信されたシグナルは、複数の外部装置からの複数の入力シグナルであってもよく、または複数の外部装置からの複数の入力シグナルを含んでいてもよい。第１の送信されたシグナルは、異なるシグナルの混合物であってもよい。第１の送信されたシグナルは、第１のストリーミングされたシグナルであってもよい。第１の送信されたシグナルが、少なくとも１つの外部装置、例えば、第１外部装置から送信される場合、補聴装置は、同じ外部装置に送信し、同じ外部装置から送信するように構成されている。第１の送信されたシグナルが、別の外部装置、例えば、第２外部装置から送信される場合、補聴装置は、異なる外部装置に送信し、異なる外部装置から送信するように構成されている。第１の送信されたシグナルは、例えば、処理ユニットの前で、処理ユニットで、および／または処理ユニットの後に付加されて補聴装置に与えられる。一例において、第１の送信されたシグナルは、処理ユニットの後、音響出力トランスデューサおよびユーザ音声抽出ユニットの前で付加される。
【００３５】
いくつかの実施形態では、ユーザ音声抽出ユニットが、第２入力シグナルからオーディオ出力シグナルをキャンセルするように構成された第１フィルタを備えている。第２入力シグナルは、第２入力トランスデューサにおいて、少なくとも音響出力トランスデューサからのオーディオ出力シグナルと、補聴装置のユーザからの体内伝導音声シグナルとを少なくとも変換することによって与えられる。したがって、第２入力シグナルは、音響出力トランスデューサからのオーディオ出力シグナルに由来する部分と、ユーザからの体内伝導音声シグナルに由来する部分とを含む。したがって、オーディオ出力シグナルが、ユーザ音声抽出ユニットの第１フィルタにおいて第２入力シグナルからキャンセルされる場合、体内伝導音声シグナルが残り、これを外部装置に抽出することができる。第１フィルタは、適応フィルタであってもよく、または適応フィルタではないフィルタであってもよい。第１フィルタは、ベースバンドサンプリングレート、および／またはもっと速いレートで駆動してもよい。
【００３６】
いくつかの実施形態では、補聴装置は、抽出された音声シグナルを少なくとも１つの外部装置に送信する前に、抽出された音声シグナルおよび／または第１入力シグナルに基づいて、抽出された音声シグナルを処理するための音声処理ユニットを備えている。したがって、抽出された音声シグナルを送信する前に、この抽出された音声シグナルは、音声抽出ユニットから受信したように、それ自身に基づいて処理され、かつ第１音響入力トランスデューサからの第１入力シグナルに基づいて処理される。第１音響入力トランスデューサからの第１入力シグナルを、第１音響入力トランスデューサ（補聴装置の外部参照マイクロフォンであってもよい）によって受信し得る周囲からの音／ノイズをフィルタによって除去するために音声処理ユニットで使用してもよい。それぞれが補聴装置を着用している２人のユーザが互いにオーディオ通信する場合、この実施形態を使用してもよく、または関連していてもよい。
【００３７】
いくつかの実施形態では、音声処理ユニットは、抽出された音声シグナル中に存在する第１音響シグナルの任意の部分を最低限にするように構成された第２フィルタを少なくとも備えている。第１音響シグナルは、第１音響入力トランスデューサ（外部参照マイクロフォンであってもよい）によって受信される、ユーザの周囲からの音またはノイズであってもよい。抽出された音声シグナル中の第１音響シグナルの部分を最低限にすると、第１音響入力トランスデューサ（外部参照マイクロフォンであってもよい）によって受信される、ユーザの周囲からの音またはノイズが最低限になり、これによって、周囲からのこの音またはノイズは、外部装置には送信されないようにされ得る。このことは、外部装置のユーザが、補聴装置のユーザからの音声シグナルを主に受信し、補聴装置のユーザの環境からの周囲の音またはノイズを受信しないため、利点である。第２フィルタは、抽出された音声シグナル中に存在する第１音響シグナルの任意の部分をキャンセルおよび／または低減するように構成されていてもよい。第２フィルタは、適応フィルタであってもよく、または適応フィルタではないフィルタであってもよい。第２のフィルタは、ベースバンドサンプリングレート、および／またはもっと速いレートで駆動してもよい。第２フィルタが適応フィルタである場合、音声活動検出器が設けられていてもよい。第２フィルタは、非常に低周波のエネルギー（例えば、ユーザの歩行、顎運動などからの非常に低周波のエネルギー）を取り除くために、急勾配の低域遮断応答を含んでいてもよい。
【００３８】
いくつかの実施形態では、音声処理ユニットは、抽出された音声シグナルのスペクトルの内容を体内伝導音声シグナルとは異なるスペクトルの内容を有するように形成するためのスペクトル形成ユニットを備えている。体内伝導音声シグナルは、ユーザの体内物質を通って伝導されるため、体内伝導音声シグナルは、ユーザの口から発生する音声または発声シグナルの、スペクトル的に改変された態様のものであり得る。したがって、体内伝導音声シグナルが、ユーザの口から発生する（すなわち、空気を通って伝導される）音声シグナルに似たスペクトルの内容を有するために、抽出された音声シグナルのスペクトルの内容がこれにしたがって形成されるか、または変えられてもよい。スペクトル形成ユニットは、フィルタ、例えば、第３フィルタであってもよく、適応フィルタであってもよく、または適応フィルタではないフィルタであってもよい。スペクトル形成ユニットまたは第３フィルタは、ベースバンドサンプリングレート、および／またはもっと速いレートで駆動してもよい。
【００３９】
いくつかの実施形態では、音声処理ユニットは、抽出された音声シグナルの帯域幅を拡張するように構成された帯域幅拡張ユニットを備えている。
【００４０】
いくつかの実施形態では、音声処理ユニットは、音声処理ユニットの電源を入れる／切断するように構成される音声活動検出器を備えており、抽出された音声シグナルは、音声活動検出器に入力として与えられる。音声活動検出器は、フィルタ、例えば、第１フィルタ、第２フィルタおよび／または第３フィルタの任意の適応を可能にするか、および／または不可能にし得る。
【００４１】
いくつかの実施形態では、抽出された音声シグナルは、第２入力トランスデューサにおいて、第１音響シグナルをさらに変換することによって与えられる。したがって、第１音響入力トランスデューサにおいて第１音響シグナルを受信する以外に、第１音響シグナルは、第２入力トランスデューサでも受信される。したがって、第１音響シグナルは、第２入力シグナルの一部を形成していてもよく、したがって、第１音響シグナルは、抽出された音声シグナルの一部を形成していてもよい。
【００４２】
一態様によると、第１補聴装置と第２補聴装置とを備える両耳用補聴装置システムであって、第１補聴装置および／または第２補聴装置は、上記及び以下に開示された態様および／または実施形態のいずれかの補聴装置である、両耳用補聴装置システムを開示する。第１補聴装置からの抽出された音声シグナルは、第１の抽出された音声シグナルである。第２補聴装置からの抽出された音声シグナルは、第２の抽出された音声シグナルである。第１の抽出された音声シグナルおよび／または第２の抽出された音声シグナルは、少なくとも１つの外部装置に送信されるように構成される。第１の抽出された音声シグナルと第２の抽出された音声シグナルは、送信する前に合わされるように構成される。第１補聴装置は、ユーザの耳の片方（例えば、左耳または右耳）に挿入されるように構成される。第２補聴装置は、ユーザの他方の耳（例えば、右耳または左耳）にそれぞれ挿入されるように構成される。
【００４３】
本記載全体で、補聴装置という用語と、ヘッドウェアラブル補聴装置という用語は、相互に置き換え可能に使用されてもよい。本記載全体で、外部装置という用語と、遠端受信者または遠方の受信者という用語は、相互に置き換え可能に使用されてもよい。本記載全体で、処理ユニットという用語と、シグナルプロセッサという用語は、相互に置き換え可能に使用されてもよい。本記載全体で、処理済第１シグナルという用語と、処理された出力シグナルという用語は、相互に置き換え可能に使用されてもよい。本記載全体で、第１音響入力トランスデューサという用語と、アンビエントマイクロフォンとの用語は、相互に置き換え可能に使用されてもよい。本記載全体で、第１音響シグナルという用語と、環境音という用語は、相互に置き換え可能に使用されてもよい。本記載全体で、第１入力シグナルという用語と、マイクロフォン入力シグナルという用語は、相互に置き換え可能に使用されてもよい。本記載全体で、第２入力トランスデューサという用語と、外耳道マイクロフォンという用語は、相互に置き換え可能に使用されてもよい。本記載全体で、第２入力シグナルという用語と、外耳道電気シグナルという用語は、相互に置き換え可能に使用されてもよい。本記載全体で、音響出力トランスデューサという用語と、ラウドスピーカーまたはレシーバという用語は、相互に置き換え可能に使用されてもよい。本記載全体で、オーディオ出力シグナルという用語と、音響出力シグナルという用語は、相互に置き換え可能に使用されてもよい。本記載全体で、ユーザ音声抽出ユニットという用語と、補償フィルタを伴う／に加えて／含む補償加算器という用語は、相互に置き換え可能に使用されてもよい。本記載全体で、抽出された音声シグナルという用語と、ハイブリッドマイクロフォンシグナルという用語は、相互に置き換え可能に使用されてもよい。
【００４４】
クリーンな発声シグナルを取得することは、種々のヘッドウェアラブル補聴装置、例えば、ヘッドセット、アクティブ聴覚保護装置および補聴器具または補聴器を用いる多くの双方向通信アプリケーションの分野において、関心が高い。クリーンな発声シグナル、例えば、抽出された音声シグナルを遠端受信者に供給し、無線データ通信リンクを介し、さらに明瞭で快適に聞こえる発声シグナルを含むクリーンな発声シグナルを受信する。クリーンな発声シグナルは、典型的には、例えば、電話での会話中に遠方の受信者にとって改良された発声の明瞭さおよびよりよい快適さを与える。
【００４５】
しかし、ヘッドウェアラブル補聴装置のユーザがいる音環境は、多くのノイズ源、例えば、干渉する会話者たち、交通、大きな音楽、機械などによって悪化するか、または影響を受けることが多く、補聴装置のアンビエントマイクロフォンに到達するターゲット音シグナルのシグナル−ノイズ比が悪くなる。このアンビエントマイクロフォンは、ユーザの音環境から全ての方向に到達する音に影響を受けやすい場合があるため、全ての周囲の音を無差別に検知し、これらの音を、ノイズによって影響を受けた発声シグナルとして遠端受信者に送信する傾向がある。これらの環境ノイズの問題は、特定の指向性を有するアンビエントマイクロフォンを用いることによって、またはいわゆるブームマイクロフォン（典型的にはヘッドセット用）を用いることによってある程度まで軽減される場合があるが、当該技術分野では、無線データ通信リンクを介して遠端受信者に送信される際において、ユーザ自身の音声の改良されたシグナル品質、特に、改良されたシグナル−ノイズ比を有する、ヘッドウェアラブル補聴装置を提供することが、必要とされている。後者は、Ｂｌｕｅｔｏｏｔｈ（登録商標）リンクまたはネットワーク、Ｗｉ−Ｆｉ（登録商標）リンクまたはネットワーク、ＧＳＭ（登録商標）セルラーリンクなどを含んでいてもよい。
【００４６】
本発明のヘッドウェアラブル補聴装置は、ユーザの外耳道において検知されるユーザ自身の音声の骨によって伝導される要素を検出及び利用して、遠端受信者に送信するための特定の音環境条件下、改良されたシグナル−ノイズ比を有するハイブリッド発声／音声シグナルを与える。ハイブリッド発声シグナルは、ユーザ自身の音声の骨によって伝導される要素に加え、ヘッドウェアラブル補聴装置のアンビエントマイクロフォン配置によって検知されるようなユーザ自身の音声の要素／寄与も含んでいてもよい。アンビエントマイクロフォン配置から誘導されるこのさらなる音声要素は、ハイブリッドマイクロフォンシグナル中のユーザの音声の元々のスペクトルを少なくとも部分的に復元するために、ユーザ自身の音声の高周波数要素を含んでいてもよい。
【００４７】
本発明の第１の態様は、ヘッドウェアラブル補聴装置であって、
環境音を受信し、環境音をマイクロフォン入力シグナルに変換するように構成された、アンビエントマイクロフォンの配置と、
処理された出力シグナルを作成するための所定の処理スキームまたは適応処理スキームに従って、マイクロフォン入力シグナルを受信し、処理するように構成されたシグナルプロセッサと、
処理された出力シグナルを受信し、処理された出力シグナルを、対応する音響出力シグナルに変換し、ユーザの外耳道において外耳道の音圧を作り出すように構成されたラウドスピーカーまたはレシーバと、
外耳道の音圧を受信し、外耳道の音圧を外耳道電気シグナルに変換するように構成された外耳道マイクロフォンと、
処理された出力シグナルと、補償加算器の第１入力との間に接続し、環境音圧要素を削除するために、補償加算器が、処理された出力シグナルと外耳道電気シグナルを引き算し、補償された外耳道シグナルを生成するように構成された、補償フィルタとを備えている、ヘッドウェアラブル補聴装置に関する。ヘッドウェアラブル補聴装置は、さらに、補償された外耳道シグナルとマイクロフォン入力シグナルを合わせ、ハイブリッドマイクロフォンシグナルを生成するように構成されたミキサーと；ハイブリッドマイクロフォンシグナルを、無線または有線のデータ通信リンクを介して遠端受信者に送信するように構成された無線または有線のデータ通信インターフェースとを備えている。
【００４８】
ヘッドウェアラブル補聴装置は、異なる種類の頭部着用型聴取装置または通信装置、例えば、ヘッドセット、アクティブ聴覚保護装置または補聴器具または補聴器を備えていてもよい。補聴器具は、筐体と、シェルと、ユーザの外耳道に合うような形状および大きさの筐体部分を有する耳あな（ＩＴＥ）型、外耳道挿入（ＩＴＣ）型または完全外耳道挿入（ＣＩＣ）型の補聴器として具現化されてもよい。筐体またはシェルは、アンビエントマイクロフォン、シグナルプロセッサ、外耳道マイクロフォンおよびラウドスピーカーを包んでいてもよい。または、本発明の補聴器具は、ユーザの外耳道に挿入するためのイアモールドまたはプラグを備える外耳道レシーバ挿入（ＲＩＣ）型または従来の耳かけ（ＢＴＥ）型の補聴器として具現化されてもよい。ＢＴＥ補聴器具は、ユーザの外耳道に対し、ＢＴＥ補聴器の筐体中に配置されたレシーバによって作られる音圧を伝えるように構成された可撓性音響管を備えていてもよい。この実施形態において、アンビエントマイクロフォンの配置、シグナルプロセッサおよびレシーバまたはラウドスピーカーをＢＴＥ筐体の中に配置しつつ、外耳道マイクロフォンは、イアモールドに配置されてもよい。外耳道シグナルは、適切な電気ケーブルまたは別の有線または無線の通信チャンネルを介し、シグナルプロセッサに送信されてもよい。アンビエントマイクロフォン配置は、頭部着用型聴取装置の筐体の中に配置されてもよい。アンビエントマイクロフォン配置は、頭部着用型聴取装置の筐体を通って延びる適切な音声チャンネル、ポートまたは開口部を通って環境音または周囲音を感知または検出してもよい。外耳道マイクロフォンは、ＩＴＥ型、ＩＴＣ型またはＣＩＣ型の補聴器の筐体の先端部分またはヘッドセット、アクティブ聴覚保護またはＢＴＥ補聴器のイアプラグまたはモールドの先端に配置される音の入口を有していてもよく、好ましくは、ユーザの鼓膜（ｔｙｍｐａｔｉｃ  ｍｅｍｂｒａｎｅまたはｅａｒ  ｄｒｕｍ）の前に存在する完全または部分的に閉塞された外耳道の容積の中の外耳道の音圧の妨害されない感知を可能にする。
【００４９】
シグナルプロセッサは、プログラミング可能なマイクロプロセッサ、例えば、所定の一連のプログラム命令を実行し、所定の処理スキームまたは適応処理スキームに従って、マイクロフォン入力シグナルを増幅し、処理する、プログラミング可能なデジタルシグナルプロセッサを備えていてもよい。したがって、シグナルプロセッサによって行われるシグナルを処理する機能または操作は、専用のハードウェアによって実行されてもよく、または１つ以上のシグナルプロセッサで実行されてもよく、または専用のハードウェアと１つ以上のシグナルプロセッサを組み合わせて行われてもよい。本明細書で使用される場合、「プロセッサ」、「シグナルプロセッサ」、「コントローラ」、「システム」などの用語は、マイクロプロセッサまたはＣＰＵに関連するエンティティ、ハードウェア、ハードウェアとソフトウェアの組み合わせ、ソフトウェア、実行時のソフトウェアのいずれかを指すことを意図している。例えば、「プロセッサ」、「シグナルプロセッサ」、「コントローラ」、「システム」などは、限定されないが、プロセッサで実行するプロセス、プロセッサ、オブジェクト、実行可能なファイル、実行のスレッドおよび／またはプログラムであってもよい。実例として、「プロセッサ」、「シグナルプロセッサ」、「コントローラ」、「システム」などの用語は、プロセッサで動くアプリケーションおよびハードウェアプロセッサの両方を示す。１つ以上の「プロセッサ」、「シグナルプロセッサ」、「コントローラ」、「システム」など、またはこれらの任意の組み合わせは、プロセスおよび／または実行のスレッドの中に存在していてもよく、１つ以上の「プロセッサ」、「シグナルプロセッサ」、「コントローラ」、「システム」など、またはこれらの任意の組み合わせは、可能ならば他のハードウェア回路と組み合わせて、１つのハードウェアプロセッサに集中していてもよく、および／または可能ならば他のハードウェア回路と組み合わせて、２つ以上のハードウェアプロセッサに分配されていてもよい。また、プロセッサ（または同様の用語）は、シグナル処理を行うことができる任意の構成要素または構成要素の任意の組み合わせであってもよい。例えば、シグナルプロセッサは、ＡＳＩＣ集積プロセッサ、ＦＰＧＡプロセッサ、汎用プロセッサ、マイクロプロセッサ、回路構成要素または集積回路であってもよい。
【００５０】
マイクロフォン入力シグナルは、マイクロフォンのトランスデューサ要素に接続されるＡ／Ｄ変換器によって作られるデジタルマイクロフォン入力シグナルとして与えられてもよい。Ａ／Ｄ変換器は、例えば、共通の半導体基板上で、シグナルプロセッサと一体化されていてもよい。それぞれの処理された出力シグナルについて、外耳道電気シグナル、補償された外耳道シグナルおよびハイブリッドマイクロフォンシグナルは、適切なサンプリング頻度および解像度で、デジタル形態で与えられてもよい。これらのデジタルシグナルそれぞれのサンプリング頻度は、１６ｋＨｚ〜４８ｋＨｚであってもよい。当業者は、補償フィルタ、補償加算器およびミキサーのそれぞれの機能が、所定の実行可能なプログラム命令のセットおよび／または専用の適切に構成されたデジタルハードウェアによって発揮されてもよいことを理解するだろう。
【００５１】
無線データ通信リンクは、双方向または単方向のデータリンクを含んでいてもよい。無線データ通信リンクは、工業、科学、医療用（ＩＳＭ）無線周波数範囲または２．４０〜２．５０ＧＨｚ帯または９０２〜９２８ＭＨｚ帯で操作してもよい。無線データ通信インターフェースおよび関連する無線データ通信リンクの種々の詳細は、添付の図面を参照しつつ、以下にさらに詳細に記載される。有線データ通信インターフェースは、ハイブリッドマイクロフォンシグナルを別個の無線データトランシーバまたは通信装置（例えば、スマートフォンまたはタブレット）に送信するためのＵＳＢ、ＩＩＣまたはＳＰＩ対応データ通信バスを含んでいてもよい。
【００５２】
ヘッドウェアラブル通信装置の１つの実施形態は、さらに、補償加算器とミキサーとの間に挿入され、ミキサーの第１入力に適用する前に、補償された外耳道電気シグナルをローパスフィルタリングするように構成されたローパスフィルタリング機能を含んでいる。これに加え、またはこれに代えて、ヘッドウェアラブル通信装置は、マイクロフォン入力シグナルとミキサーとの間に挿入され、ミキサーの第２入力に適用する前に、マイクロフォン入力シグナルをハイパスフィルタリングするように構成されたハイパスフィルタリング機能を含んでいてもよい。当業者は、ローパスフィルタリング機能およびハイパスフィルタ機能は、それぞれ多くの様式で実行されてもよいことを理解するだろう。特定の実施形態において、ローパスフィルタリング機能およびハイパスフィルタリング機能は、所定の周波数応答または調節可能／改変可能な周波数応答を有する別個のＦＩＲフィルタまたはＩＩＲフィルタを備えている。ローパスおよび／またはハイパスフィルタリング機能の代替的な実施形態は、フィルタバンク、例えば、デジタルフィルタバンクを備えている。フィルタバンクは、可聴周波の少なくとも一部にわたって配置された複数の隣接するバンドパスフィルタを含んでいてもよい。フィルタバンクは、例えば、４〜２５のバンドパスフィルタ、例えば、少なくとも１００Ｈｚ〜５ｋＨｚに隣接して配置されるバンドパスフィルタを含んでいてもよい。フィルタバンクは、デジタルフィルタバンク、例えば、ＦＦＴ系デジタルフィルタバンクまたはワープ周波数スケール型のフィルタバンクを含んでいてもよい。シグナルプロセッサは、シグナルプロセッサのプログラミング可能なマイクロプロセッサの実施形態で動く所定の実行可能なプログラム命令のセットとしてローパスフィルタリング機能および／またはハイパスフィルタ機能を作り出すか、または与えるように構成されていてもよい。デジタルフィルタバンクを用い、ローパスフィルタリング機能は、ミキサーの第１入力に適用するための複数の隣接するバンドパスフィルタの第１のサブセットのそれぞれの出力を選択することによって実行されてもよく、および／またはハイパスフィルタリング機能は、ミキサーの第２入力に適用するための複数の隣接するバンドパスフィルタの第２のサブセットのそれぞれの出力を選択することを含んでいてもよい。フィルタバンクの隣接するバンドパスフィルタの第１および第２のサブセットは、以下に記載するそれぞれのカットオフ周波数を除き、実質的に重なり合わなくてもよい。
【００５３】
ローパスフィルタリング機能は、５００Ｈｚ〜２ｋＨｚのカットオフ周波数を有していてもよく、および／またはハイパスフィルタリング機能は、５００Ｈｚ〜２ｋＨｚのカットオフ周波数を有していてもよい。一実施形態において、ローパスフィルタリング機能のカットオフ周波数は、ハイパスフィルタリング機能のカットオフ周波数と実質的に同じである。別の実施形態によれば、ローパスフィルタリング機能およびハイパスフィルタリング機能のそれぞれの出力シグナルの合計大きさは、実質的に少なくとも１００Ｈｚ〜５ｋＨｚの単位である。ローパスフィルタリング機能およびハイパスフィルタリング機能の２つの後者の実施形態は、典型的には、添付の図面を参照しつつ、以下にさらに詳細に記載するようなフィルタリング機能の合計出力の比較的平坦な大きさを導くだろう。
【００５４】
補償フィルタは、ラウドスピーカーと外耳道マイクロフォンとの間の伝達機能をモデリングするように構成されていてもよい。ラウドスピーカーと外耳道マイクロフォンとの間の伝達機能は、典型的には、ヘッドウェアラブル通信装置、すなわち、ユーザの耳に配置される外耳道マイクロフォンを備えるデバイスの正常な操作条件下、ラウドスピーカーと外耳道マイクロフォンとの間の音響伝達機能を含む。ラウドスピーカーと外耳道マイクロフォンとの間の伝達機能は、さらに、ラウドスピーカーおよび／または外耳道マイクロフォンの周波数応答特徴を含んでいてもよい。補償フィルタは、適応フィルタ、例えば、適応ＦＩＲフィルタまたは適応ＩＩＲフィルタ、または添付の図面を参照しつつ以下にさらに詳細に記載されるような、適切な周波数応答を有するように構成された静的なＦＩＲフィルタまたはＩＩＲフィルタを含んでいてもよい。
【００５５】
頭部着用型聴取装置のさらに別の実施形態によれば、シグナルプロセッサは、
マイクロフォン入力シグナルのシグナル特徴を概算し、
マイクロフォン入力シグナルの決定されたシグナル特徴に基づいて、ハイブリッドマイクロフォンシグナルに対する、補償された外耳道シグナルおよびマイクロフォン入力シグナルの相対的な寄与を制御するように構成される。後者の実施形態によれば、シグナルプロセッサは、決定されたシグナル特徴に従って、上述のローパスフィルタリング機能およびハイパスフィルタリング機能のそれぞれのカットオフ周波数を調節することによって、ハイブリッドマイクロフォンシグナルに対する、補償された外耳道シグナルおよびマイクロフォン入力シグナルの相対的な寄与を制御してもよい。マイクロフォン入力シグナルのシグナル特徴は、例えば、１００Ｈｚ〜５ｋＨｚの目的の特定のオーディオ帯域幅にわたって測定／概算されるマイクロフォン入力シグナルのシグナル−ノイズ比を含んでいてもよい。マイクロフォン入力シグナルのシグナル特徴は、マイクロフォン入力シグナルのノイズレベル（例えば、ｄＢ  ＳＰＬで表される）を含んでいてもよい。シグナルプロセッサは、これに加えて、またはこれに代えて、マイクロフォン入力シグナルの決定されたシグナル特徴に基づいてミキサーに適用する前に、補償された外耳道シグナルおよびマイクロフォン入力シグナルの相対的な増幅または減衰を制御するように構成されていてもよい。添付の図面を参照しつつ、以下にさらに詳細に記載されるように、マイクロフォン入力シグナルの高いシグナル−ノイズ比（例えば、１０ｄＢを超える）を有する音環境において、補償された外耳道シグナルからの寄与を比較的小さくし、マイクロフォン入力シグナルの低いシグナル−ノイズ比（例えば、０ｄＢ未満）を有する音環境において、補償された外耳道シグナルからの寄与を比較的大きくするために、ハイブリッドマイクロフォンシグナルに対する、補償された外耳道シグナルおよびマイクロフォン入力シグナルの相対的な寄与を制御するためのこれらの方法の１つまたは両方が開発されてもよい。
【００５６】
本発明の第２の態様は、例えば、上述のいずれかの実施形態に係る無線ヘッドセットとして具現化される複数のヘッドウェアラブル通信装置を備えており、複数のヘッドウェアラブル通信装置が、複数のコールセンターサービスの個人のそれぞれの耳の上または耳に取り付けられる、複数ユーザのコールセンター通信システムに関する。本発明のヘッドウェアラブル通信装置のノイズ抑制特性は、かなりのレベルの環境ノイズが、多くの干渉するノイズ源に起因して存在する多種類の複数ユーザ環境における適用にとって、これらを有利なものにする。本発明のヘッドウェアラブル通信装置のノイズ抑制特性は、遠端受信者の利点のための改良された快適さおよび明瞭さを有するユーザ自身の音声を表すハイブリッドマイクロフォンシグナルを与えてもよい。
【００５７】
本発明の第３の態様は、ヘッドウェアラブル補聴装置によって、ハイブリッドマイクロフォンシグナルを作成し、遠端受信者にハイブリッドマイクロフォンシグナルを送信する方法であって、この方法が、
環境音を受信し、環境音をマイクロフォン入力シグナルに変換することと、
処理された出力シグナルを作成するための所定の処理スキームまたは適応処理スキームに従って、マイクロフォン入力シグナルを受信し、処理することと、
ラウドスピーカーまたはレシーバによって、処理された出力シグナルを、対応する音響出力シグナルに変換し、ユーザの外耳道において外耳道の音圧を作り出すことと、
補償フィルタによって、処理された出力シグナルをフィルタリングし、フィルタリングされた処理された出力シグナルを生成することと、
外耳道マイクロフォンによって外耳道の音圧を感知し、外耳道の音圧を外耳道電気シグナルに変換することと、
フィルタリングされた処理された出力シグナルと外耳道電気シグナルを引き算し、補償押された外耳道シグナルを生成することと、
補償された外耳道シグナルと、マイクロフォン入力シグナルとを合わせ、ハイブリッドマイクロフォンシグナルを生成することと、ハイブリッドマイクロフォンシグナルを無線または有線のデータ通信リンクを通って遠端受信者に送信することとを含む、方法に関する。
【００５８】
この方法論は、さらに、
マイクロフォン入力シグナルまたはマイクロフォン入力シグナルから誘導されたシグナルのシグナル特徴を概算することと、
マイクロフォン入力シグナルまたはこのシグナルから誘導されるシグナルの決定されたシグナル特徴に基づいて、ハイブリッドマイクロフォンシグナルに対する、補償された外耳道シグナルおよびマイクロフォン入力シグナルの相対的な寄与を制御することとを含んでいてもよい。
【００５９】
この方法論の１つの実施形態は、さらに、
マイクロフォン入力シグナルと合わせる前に、補償された外耳道シグナルをローパスフィルタリングし、および／または補償された外耳道シグナルと合わせる前に、マイクロフォン入力シグナルをハイパスフィルタリングすることを含んでいてもよい。当業者は、ローパスフィルタリングおよび／またはハイパスフィルタリングが、マイクロフォン入力シグナルおよび補償された外耳道シグナルに対するフィルタバンクの上述のいずれかの実施形態の適用を含んでいてもよいことを理解するだろう。
【００６０】
本発明は、上述のシステムと、以下の対応するシステム部分、方法、装置、システム、ネットワーク、キット、使用および／または製造手段とを含み、それぞれが、第１の上述の態様と組み合わせて、記載される利益および利点の１つ以上を与え、それぞれが、第１の上述の態様と組み合わせて記載され、および／または添付の特許請求の範囲に開示される実施形態に対応する１つ以上の実施形態を有する、異なる態様に関する。
【００６１】
上述の特徴および利点と、他の特徴および利点は、添付の図面を参照しつつ、以下の例示的な実施形態の詳細な記載によって当業者には容易に明らかになるだろう。
【図面の簡単な説明】
【００６２】
【図１】少なくとも１つの外部装置とのオーディオ通信のための補聴装置の一例を模式的に示す。
【図２】少なくとも１つの外部装置とのオーディオ通信のための補聴装置の一例を模式的に示す。
【図３】少なくとも１つの外部装置とのオーディオ通信のための補聴装置の一例を模式的に示す。
【図４】少なくとも１つの外部装置とのオーディオ通信のための補聴装置の一例を模式的に示す。
【図５】少なくとも１つの外部装置とのオーディオ通信のための補聴装置の一例を模式的に示す。
【図６Ａ】少なくとも１つの外部装置とのオーディオ通信のための補聴装置の一例を模式的に示す。
【図６Ｂ】少なくとも１つの外部装置とのオーディオ通信のための補聴装置の一例を模式的に示す。
【図７】少なくとも１つの外部装置とのオーディオ通信のための補聴装置の一例を模式的に示す。
【図８】体内伝導音声シグナルがユーザの口および喉から発生し、ユーザの骨構造、軟骨、軟組織、組織および／または皮膚を通ってユーザの耳に伝わり、第２入力トランスデューサによって検知されるように構成されることを模式的に示す。
【図９】補聴装置と少なくとも１つの外部装置との間のオーディオ通信のための補聴装置における方法のフローチャートを模式的に示す。
【発明を実施するための形態】
【００６３】
図面を参照しながら、各種実施形態を以下で説明する。全体を通して、同じ参照番号は同じ構成要素を指し示す。したがって、同じ構成要素は、各図面の説明に関して詳細には説明しない。また、図面は実施形態の説明を容易にすることを意図するものに過ぎないことに留意すべきである。図面は、特許請求の範囲に記載された発明の包括的な説明としても、または特許請求の範囲に記載された発明の技術的範囲に対する制限としても意図されていない。加えて、図示した実施形態は、示されるすべての態様または利点を有する必要はない。特定の実施形態とともに記載される態様または利点は必ずしも、その実施形態に限定されず、示されていなかったり、または明示的に説明されていなくても、任意の他の実施形態で実施可能である。
【００６４】
全体として、同一の部分または対応する部分には、同じ参照番号が使用される。
【００６５】
図１は、少なくとも１つの外部装置４とのオーディオ通信のための補聴装置２の一例を模式的に示す。補聴装置２は、処理済第１シグナル８を与えるための処理ユニット６を備えている。補聴装置２は、第１音響シグナル１２を、処理済第１シグナル８を与えるための処理ユニット６に対する第１入力シグナル１４に変換するために、処理ユニット６に接続された第１音響入力トランスデューサ１０を備えている。補聴装置２は、第２入力シグナル１８を与えるための第２入力トランスデューサ１６を備えている。補聴装置２は、処理ユニット６に接続された音響出力トランスデューサ２０であって、処理済第１シグナル８をオーディオ出力シグナル２２に変換するための音響出力トランスデューサ２０を備えている。第２入力シグナル１８は、第２入力トランスデューサ１６において、音響出力トランスデューサ２０からのオーディオ出力シグナル２２と、補聴装置２のユーザ２６からの体内伝導音声シグナル２４を少なくとも変換することによって与えられる。補聴装置２は、音声シグナル３０を抽出するためのユーザ音声抽出ユニット２８を備えており、ここで、ユーザ音声抽出ユニット２８は、処理済第１シグナル８を受信するために処理ユニット６に接続されており、第２入力シグナル１８を受信するために第２入力トランスデューサ１６に接続されている。ユーザ音声抽出ユニット２８は、第２入力シグナル１８と処理済第１シグナル８に基づいて、音声シグナル３０を抽出するように構成されている。音声シグナル３０は、少なくとも１つの外部装置４に送信されるように構成されている。
【００６６】
図２は、少なくとも１つの外部装置４とのオーディオ通信のための補聴装置２の一例を模式的に示す。補聴装置２は、処理済第１シグナル８を与えるための処理ユニット６を備えている。補聴装置２は、第１音響シグナル１２を、処理済第１シグナル８を与えるための処理ユニット６に対する第１入力シグナル１４に変換するために、処理ユニット６に接続される第１音響入力トランスデューサ１０を備えている。補聴装置２は、第２入力シグナル１８を与えるための第２入力トランスデューサ１６を備えている。補聴装置２は、処理ユニット６に接続された音響出力トランスデューサ２０であって、処理済第１シグナル８をオーディオ出力シグナル２２に変換するための音響出力トランスデューサ２０を備えている。第２入力シグナル１８は、第２入力トランスデューサ１６において、音響出力トランスデューサ２０からのオーディオ出力シグナル２２と、補聴装置２のユーザ２６からの体内伝導音声シグナル２４を少なくとも変換することによって与えられる。補聴装置２は、音声シグナル３０を抽出するためのユーザ音声抽出ユニット２８を備えており、ここで、ユーザ音声抽出ユニット２８は、処理済第１シグナル８を受信するために処理ユニット６に接続されており、第２入力シグナル１８を受信するために第２入力トランスデューサ１６に接続されている。ユーザ音声抽出ユニット２８は、第２入力シグナル１８と処理済第１シグナル８に基づいて、音声シグナル３０を抽出するように構成されている。音声シグナル３０は、少なくとも１つの外部装置４に送信されるように構成されている。
【００６７】
第１の送信されたシグナル３２は、少なくとも１つの外部装置４および／または別の外部装置から補聴装置２に与えられる。第１の送信されたシグナル３２は、音声シグナル３０を抽出するためにユーザ音声抽出ユニット２８に与えられる処理済第１シグナル８および第２入力シグナル１８に含まれていてもよい。第１の送信されたシグナル３２は、ストリーミングされたシグナルであってもよい。第１の送信されたシグナル３２は、少なくとも１つの外部装置４および／または別の外部装置からのものであってもよい。
【００６８】
第１の送信されたシグナル３２は、補聴装置２に与えられ、例えば、処理ユニットの前に、図２に示されるように処理ユニットに、および／または図３に示されるように処理ユニットの後に付加されてもよい。一例において、第１の送信されたシグナル３２は、図３に示されるように、処理ユニット６の後、音響出力トランスデューサ２０およびユーザ音声抽出ユニット２８の前に付加される。
【００６９】
図３は、少なくとも１つの外部装置４とのオーディオ通信のための補聴装置２の一例を模式的に示す。補聴装置２は、処理済第１シグナル８を与えるための処理ユニット６を備えている。補聴装置２は、第１音響シグナル１２を、処理済第１シグナル８を与えるための処理ユニット６に対する第１入力シグナル１４に変換するために、処理ユニット６に接続される第１音響入力トランスデューサ１０を備えている。補聴装置２は、第２入力シグナル１８を与えるための第２入力トランスデューサ１６を備えている。補聴装置２は、処理ユニット６に接続された音響出力トランスデューサ２０であって、処理済第１シグナル８をオーディオ出力シグナル２２に変換するための音響出力トランスデューサ２０を備えている。第２入力シグナル１８は、第２入力トランスデューサ１６において、音響出力トランスデューサ２０からのオーディオ出力シグナル２２と、補聴装置２のユーザ２６からの体内伝導音声シグナル２４を少なくとも変換することによって与えられる。補聴装置２は、音声シグナル３０を抽出するためのユーザ音声抽出ユニット２８を備えており、ここで、ユーザ音声抽出ユニット２８は、処理済第１シグナル８を受信するために処理ユニット６に接続されており、第２入力シグナル１８を受信するために第２入力トランスデューサ１６に接続されている。ユーザ音声抽出ユニット２８は、第２入力シグナル１８と処理済第１シグナル８に基づいて、音声シグナル３０を抽出するように構成されている。音声シグナル３０は、少なくとも１つの外部装置４に送信されるように構成されている。
【００７０】
オーディオ出力シグナル２２は、第２入力トランスデューサ１６に与えられる前に外耳道を通って伝えられ、それによって外耳道応答５６を与えると考えられてもよい。
【００７１】
第１の送信されたシグナル３２は、少なくとも１つの外部装置４および／または別の外部装置から補聴装置２に与えられる。第１の送信されたシグナル３２は、音声シグナル３０を抽出するためにユーザ音声抽出ユニット２８に与えられる処理済第１シグナル８および第２入力シグナル１８に含まれていてもよい。第１の送信されたシグナル３２は、ストリーミングされたシグナルであってもよい。
【００７２】
第１の送信されたシグナル３２は、補聴装置２に与えられ、例えば、処理ユニットの前に、図２に示されるように処理ユニットに、および／または図３に示されるように処理ユニットの後に付加されてもよい。一例において、第１の送信されたシグナル３２は、図３に示されるように、処理ユニット６の後、音響出力トランスデューサ２０およびユーザ音声抽出ユニット２８の前に付加される。
【００７３】
ユーザ音声抽出ユニット２８は、第２入力シグナル１８からオーディオ出力シグナル２２をキャンセルするように構成された第１フィルタ３４を備えている。第２入力シグナル１８は、第２入力トランスデューサ１６において、音響出力トランスデューサ２０からのオーディオ出力シグナル２２と、補聴装置２のユーザ２６からの体内伝導音声シグナル２４を少なくとも変換することによって与えられる。したがって、第２入力シグナル１８は、音響出力トランスデューサ２０からのオーディオ出力シグナル２２に由来する部分と、補聴装置２のユーザ２６からの体内伝導音声シグナル２４に由来する部分とを含む。したがって、ユーザ音声抽出ユニット２８の第１フィルタ３４において、第２入力シグナル１８からオーディオ出力シグナル２２がキャンセルされると、体内伝導音声シグナル２４が残り、これを外部装置４に抽出することができる。オーディオ出力シグナル２２は、処理ユニット６からの処理済第１シグナル８と、第１の送信されたシグナル３２とを含む。図４において、処理済第１シグナル８と第１の送信されたシグナル３２の組み合わせが、音声抽出ユニット２８に対する入力として第１フィルタ３４に与えられることがわかるだろう。
【００７４】
図４は、少なくとも１つの外部装置４とのオーディオ通信のための補聴装置２の一例を模式的に示す。補聴装置２は、処理済第１シグナル８を与えるための処理ユニット６を備えている。補聴装置２は、第１音響シグナル１２を、処理済第１シグナル８を与えるための処理ユニット６に対する第１入力シグナル１４に変換するために、処理ユニット６に接続される第１音響入力トランスデューサ１０を備えている。補聴装置２は、第２入力シグナル１８を与えるための第２入力トランスデューサ１６を備えている。補聴装置２は、処理ユニット６に接続された音響出力トランスデューサ２０であって、処理済第１シグナル８をオーディオ出力シグナル２２に変換するための音響出力トランスデューサ２０を備えている。第２入力シグナル１８は、第２入力トランスデューサ１６において、音響出力トランスデューサ２０からのオーディオ出力シグナル２２と、補聴装置２のユーザ２６からの体内伝導音声シグナル２４を少なくとも変換することによって与えられる。補聴装置２は、音声シグナル３０を抽出するためのユーザ音声抽出ユニット２８を備えており、ここで、ユーザ音声抽出ユニット２８は、処理済第１シグナル８を受信するために処理ユニット６に接続されており、第２入力シグナル１８を受信するために第２入力トランスデューサ１６に接続されている。ユーザ音声抽出ユニット２８は、第２入力シグナル１８と処理済第１シグナル８に基づいて、音声シグナル３０を抽出するように構成されている。音声シグナル３０は、少なくとも１つの外部装置４に送信されるように構成されている。
【００７５】
オーディオ出力シグナル２２は、第２入力トランスデューサ１６に与えられる前に外耳道を通って伝えられ、それによって外耳道応答５６を与えると考えられてもよい。
【００７６】
第１の送信されたシグナル３２は、少なくとも１つの外部装置４および／または別の外部装置から補聴装置２に与えられる。第１の送信されたシグナル３２は、音声シグナル３０を抽出するためにユーザ音声抽出ユニット２８に与えられる処理済第１シグナル８および第２入力シグナル１８に含まれていてもよい。第１の送信されたシグナル３２は、ストリーミングされたシグナルであってもよい。
【００７７】
第１の送信されたシグナル３２は、補聴装置２に与えられ、例えば、処理ユニットの前に、図２に示されるように処理ユニットに、および／または図３および図４に示されるように処理ユニットの後に付加されてもよい。一例において、第１の送信されたシグナル３２は、図３および図４に示されるように、処理ユニット６の後、音響出力トランスデューサ２０およびユーザ音声抽出ユニット２８の前に付加される。
【００７８】
抽出された音声シグナル３０は、第２入力トランスデューサ１６において、第１音響シグナル１２をさらに変換することによって与えられる。したがって、第１音響入力トランスデューサ１０において第１音響シグナル１２を受信する以外に、第１音響シグナル１２は、第２入力トランスデューサ１６でも受信される。したがって、第１音響シグナル１２は、第２入力シグナル１８の一部を形成していてもよく、したがって、第１音響シグナル１２は、抽出された音声シグナル３０の一部を形成していてもよい。図４において、第１音響シグナル１２は、第２入力トランスデューサ１６に与えられる前に、体内伝導音声シグナル２４と共に付加されることが示されている。しかし、第１音響シグナル１２は、その前に体内伝導音声シグナル２４と合わされることなく、第２入力トランスデューサ１６に直接的に与えられてもよいことが理解される。第１音響シグナル１２はまた、第２入力トランスデューサ１６に与えられる前に、周囲３８を通って伝わってもよい。
【００７９】
補聴装置２は、抽出された音声シグナル３０を少なくとも１つの外部装置４に送信する前に、抽出された音声シグナル３０および／または第１入力シグナル１４に基づいて、抽出された音声シグナル３０を処理するための音声処理ユニット３６を備えている。したがって、抽出された音声シグナル３０を送信する前に、この抽出された音声シグナル３０は、音声抽出ユニット２８から受信したように、それ自身に基づいて処理され、かつ第１音響入力トランスデューサ１０からの第１入力シグナル１４に基づいて処理される。第１音響入力トランスデューサ１０からの第１入力シグナル１４を、第１音響入力トランスデューサ１０（補聴装置２の外部参照マイクロフォンであってもよい）によって受信し得る周囲からの音／ノイズをフィルタによって除去するために音声処理ユニット３６で使用してもよい。
【００８０】
図５は、少なくとも１つの外部装置４とのオーディオ通信のための補聴装置２の一例を模式的に示す。補聴装置２は、処理済第１シグナル８を与えるための処理ユニット６を備えている。補聴装置２は、第１音響シグナル１２を、処理済第１シグナル８を与えるための処理ユニット６に対する第１入力シグナル１４に変換するために、処理ユニット６に接続される第１音響入力トランスデューサ１０を備えている。補聴装置２は、第２入力シグナル１８を与えるための第２入力トランスデューサ１６を備えている。補聴装置２は、処理ユニット６に接続された音響出力トランスデューサ２０であって、処理済第１シグナル８をオーディオ出力シグナル２２に変換するための音響出力トランスデューサ２０を備えている。第２入力シグナル１８は、第２入力トランスデューサ１６において、音響出力トランスデューサ２０からのオーディオ出力シグナル２２と、補聴装置２のユーザ２６からの体内伝導音声シグナル２４を少なくとも変換することによって与えられる。補聴装置２は、音声シグナル３０を抽出するためのユーザ音声抽出ユニット２８を備えており、ここで、ユーザ音声抽出ユニット２８は、処理済第１シグナル８を受信するために処理ユニット６に接続されており、第２入力シグナル１８を受信するために第２入力トランスデューサ１６に接続されている。ユーザ音声抽出ユニット２８は、第２入力シグナル１８と処理済第１シグナル８に基づいて、音声シグナル３０を抽出するように構成されている。音声シグナル３０は、少なくとも１つの外部装置４に送信されるように構成されている。
【００８１】
オーディオ出力シグナル２２は、第２入力トランスデューサ１６に与えられる前に外耳道を通って伝えられ、それによって外耳道応答５６を与えると考えられてもよい。
【００８２】
第１の送信されたシグナル３２は、少なくとも１つの外部装置４および／または別の外部装置から補聴装置２に与えられる。第１の送信されたシグナル３２は、音声シグナル３０を抽出するためにユーザ音声抽出ユニット２８に与えられる処理済第１シグナル８および第２入力シグナル１８に含まれていてもよい。第１の送信されたシグナル３２は、ストリーミングされたシグナルであってもよい。
【００８３】
第１の送信されたシグナル３２は、補聴装置２に与えられ、例えば、処理ユニットの前に、図２に示されるように処理ユニットに、および／または図３、図４および図５に示されるように処理ユニットの後に付加されてもよい。一例において、第１の送信されたシグナル３２は、図３、図４および図５に示されるように、処理ユニット６の後、音響出力トランスデューサ２０およびユーザ音声抽出ユニット２８の前に付加される。
【００８４】
抽出された音声シグナル３０は、第２入力トランスデューサ１６において、第１音響シグナル１２をさらに変換することによって与えられる。したがって、第１音響入力トランスデューサ１０において第１音響シグナル１２を受信する以外に、第１音響シグナル１２は、第２入力トランスデューサ１６でも受信される。したがって、第１音響シグナル１２は、第２入力シグナル１８の一部を形成していてもよく、したがって、第１音響シグナル１２は、抽出された音声シグナル３０の一部を形成していてもよい。図５において、第１音響シグナル１２は、第２入力トランスデューサ１６に与えられる前に、体内伝導音声シグナル２４と共に付加されることが示されている。しかし、第１音響シグナル１２は、その前に体内伝導音声シグナル２４と合わされることなく、第２入力トランスデューサ１６に直接的に与えられてもよいことが理解される。第１音響シグナル１２はまた、第２入力トランスデューサ１６に与えられる前に、周囲３８を通って伝わってもよい。
【００８５】
ユーザ音声抽出ユニット２８は、第２入力シグナル１８からオーディオ出力シグナル２２をキャンセルするように構成された第１フィルタ３４を備えている。第２入力シグナル１８は、第２入力トランスデューサ１６において、音響出力トランスデューサ２０からのオーディオ出力シグナル２２と、第１音響シグナル１２と、補聴装置２のユーザ２６からの体内伝導音声シグナル２４を少なくとも変換することによって与えられる。したがって、第２入力シグナル１８は、音響出力トランスデューサ２０からのオーディオ出力シグナル２２に由来する部分と、第１音響シグナル１２に由来する部分と、ユーザの体内伝導音声シグナル２４に由来する部分とを含む。したがって、ユーザ音声抽出ユニット２８の第１フィルタ３４において、第２入力シグナル１８からオーディオ出力シグナル２２がキャンセルされると、体内伝導音声シグナル２４と第１音響シグナル１２が、ユーザ音声抽出ユニット２８に与えられる第２入力シグナル１８に残る。オーディオ出力シグナル２２は、処理ユニット６からの処理済第１シグナル８と、第１の送信されたシグナル３２とを含む。図５において、処理済第１シグナル８と第１の送信されたシグナル３２の組み合わせが、音声抽出ユニット２８に対する入力として第１フィルタ３４に与えられることがわかるだろう。
【００８６】
補聴装置２は、抽出された音声シグナル３０を少なくとも１つの外部装置４に送信する前に、抽出された音声シグナル３０および／または第１入力シグナル１４に基づいて、抽出された音声シグナル３０を処理するための音声処理ユニット３６を備えている。したがって、抽出された音声シグナル３０を送信する前に、この抽出された音声シグナル３０は、音声抽出ユニット２８から受信したように、それ自身に基づいて処理され、かつ第１音響入力トランスデューサ１０からの第１入力シグナル１４に基づいて処理される。第１音響入力トランスデューサ１０からの第１入力シグナル１４を、第１音響入力トランスデューサ１０（補聴装置２の外部参照マイクロフォンであってもよい）によって受信し得る周囲からの音／ノイズをフィルタによって除去するために音声処理ユニット３６で使用してもよい。抽出された音声シグナル３０は、ユーザ２６からの体内伝導音声シグナル２４である部分と、第１音響シグナル１２である部分とを少なくとも含む。したがって、音声処理ユニット３６において、第１音響シグナル１２は、補聴装置２のユーザ２６の環境からの周囲の音およびノイズがフィルタによって除去されることに対応して、フィルタによって除去されてもよい。
【００８７】
音声処理ユニット３６は、抽出された音声シグナル３０中に存在する第１音響シグナル１２の任意の部分を最低限にするように構成された第２フィルタ４０を少なくとも備えている。第１音響シグナル１２は、第１音響入力トランスデューサ１０（外部参照マイクロフォンであってもよい）によって受信される、ユーザ２６の周囲からの音またはノイズであってもよい。抽出された音声シグナル３０中の第１音響シグナル１２の部分を最低限にすると、第１音響入力トランスデューサ１０（外部参照マイクロフォンであってもよい）によって受信される、ユーザ２６の周囲からの音またはノイズが最低限になり、これによって、周囲からのこの音またはノイズは、外部装置４には送信されないだろう。このことは、外部装置のユーザが、補聴装置２のユーザからの音声シグナルを主に受信し、補聴装置２のユーザ２６の環境からの周囲の音またはノイズを受信しないため、利点である。
【００８８】
図６Ａおよび図６Ｂは、少なくとも１つの外部装置４とのオーディオ通信のための補聴装置２の一例を模式的に示す。補聴装置２は、処理済第１シグナル８を与えるための処理ユニット６を備えている。補聴装置２は、第１音響シグナル１２を、処理済第１シグナル８を与えるための処理ユニット６に対する第１入力シグナル１４に変換するために、処理ユニット６に接続される第１音響入力トランスデューサ１０を備えている。補聴装置２は、第２入力シグナル１８を与えるための第２入力トランスデューサ１６を備えている。補聴装置２は、処理ユニット６に接続された音響出力トランスデューサ２０であって、処理済第１シグナル８をオーディオ出力シグナル２２に変換するための音響出力トランスデューサ２０を備えている。第２入力シグナル１８は、第２入力トランスデューサ１６において、音響出力トランスデューサ２０からのオーディオ出力シグナル２２と、補聴装置２のユーザ２６からの体内伝導音声シグナル２４を少なくとも変換することによって与えられる。補聴装置２は、音声シグナル３０を抽出するためのユーザ音声抽出ユニット２８を備えており、ここで、ユーザ音声抽出ユニット２８は、処理済第１シグナル８を受信するために処理ユニット６に接続されており、第２入力シグナル１８を受信するために第２入力トランスデューサ１６に接続されている。ユーザ音声抽出ユニット２８は、第２入力シグナル１８と処理済第１シグナル８に基づいて、音声シグナル３０を抽出するように構成されている。音声シグナル３０は、少なくとも１つの外部装置４に送信されるように構成されている。
【００８９】
オーディオ出力シグナル２２は、第２入力トランスデューサ１６に与えられる前に外耳道を通って伝えられ、それによって外耳道応答５６を与えると考えられてもよい。
【００９０】
第１の送信されたシグナル３２は、少なくとも１つの外部装置４および／または別の外部装置から補聴装置２に与えられる。第１の送信されたシグナル３２は、音声シグナル３０を抽出するためにユーザ音声抽出ユニット２８に与えられる処理済第１シグナル８および第２入力シグナル１８に含まれていてもよい。第１の送信されたシグナル３２は、ストリーミングされたシグナルであってもよい。
【００９１】
第１の送信されたシグナル３２は、補聴装置２に与えられ、例えば、処理ユニットの前に、図２に示されるように処理ユニットに、および／または図３、図４および図５に示されるように処理ユニットの後に付加されてもよい。一例において、第１の送信されたシグナル３２は、図３、図４および図５に示されるように、処理ユニット６の後、音響出力トランスデューサ２０およびユーザ音声抽出ユニット２８の前に付加される。
【００９２】
抽出された音声シグナル３０は、第２入力トランスデューサ１６において、第１音響シグナル１２をさらに変換することによって与えられる。したがって、第１音響入力トランスデューサ１０において第１音響シグナル１２を受信する以外に、第１音響シグナル１２は、第２入力トランスデューサ１６でも受信される。したがって、第１音響シグナル１２は、第２入力シグナル１８の一部を形成していてもよく、したがって、第１音響シグナル１２は、抽出された音声シグナル３０の一部を形成していてもよい。図５において、第１音響シグナル１２は、第２入力トランスデューサ１６に与えられる前に、体内伝導音声シグナル２４と共に付加されることが示されている。しかし、第１音響シグナル１２は、その前に体内伝導音声シグナル２４と合わされることなく、第２入力トランスデューサ１６に直接的に与えられてもよいことが理解される。第１音響シグナル１２はまた、第２入力トランスデューサ１６に与えられる前に、周囲３８を通って伝わってもよい。
【００９３】
ユーザ音声抽出ユニット２８は、第２入力シグナル１８からオーディオ出力シグナル２２をキャンセルするように構成された第１フィルタ３４を備えている。第２入力シグナル１８は、第２入力トランスデューサ１６において、音響出力トランスデューサ２０からのオーディオ出力シグナル２２と、第１音響シグナル１２と、補聴装置２のユーザ２６からの体内伝導音声シグナル２４を少なくとも変換することによって与えられる。したがって、第２入力シグナル１８は、音響出力トランスデューサ２０からのオーディオ出力シグナル２２に由来する部分と、第１音響シグナル１２に由来する部分と、ユーザの体内伝導音声シグナル２４に由来する部分とを含む。したがって、ユーザ音声抽出ユニット２８の第１フィルタ３４において、第２入力シグナル１８からオーディオ出力シグナル２２がキャンセルされると、体内伝導音声シグナル２４と第１音響シグナル１２が、ユーザ音声抽出ユニット２８に与えられる第２入力シグナル１８に残る。オーディオ出力シグナル２２は、処理ユニット６からの処理済第１シグナル８と、第１の送信されたシグナル３２とを含む。図５において、処理済第１シグナル８と第１の送信されたシグナル３２の組み合わせが、音声抽出ユニット２８に対する入力として第１フィルタ３４に与えられることがわかるだろう。
【００９４】
補聴装置２は、抽出された音声シグナル３０を少なくとも１つの外部装置４に送信する前に、抽出された音声シグナル３０および／または第１入力シグナル１４に基づいて、抽出された音声シグナル３０を処理するための音声処理ユニット３６を備えている。したがって、抽出された音声シグナル３０を送信する前に、この抽出された音声シグナル３０は、音声抽出ユニット２８から受信したように、それ自身に基づいて処理され、かつ第１音響入力トランスデューサ１０からの第１入力シグナル１４に基づいて処理される。第１音響入力トランスデューサ１０からの第１入力シグナル１４を、第１音響入力トランスデューサ１０（補聴装置２の外部参照マイクロフォンであってもよい）によって受信し得る周囲からの音／ノイズをフィルタによって除去するために音声処理ユニット３６で使用してもよい。抽出された音声シグナル３０は、ユーザ２６からの体内伝導音声シグナル２４である部分と、第１音響シグナル１２である部分とを少なくとも含む。したがって、音声処理ユニット３６において、第１音響シグナル１２は、補聴装置２のユーザ２６の環境からの周囲の音およびノイズがフィルタによって除去されることに対応して、フィルタによって除去されてもよい。
【００９５】
音声処理ユニット３６は、抽出された音声シグナル３０中に存在する第１音響シグナル１２の任意の部分を最低限にするように構成された第２フィルタ４０を少なくとも備えている。第１音響シグナル１２は、第１音響入力トランスデューサ１０（外部参照マイクロフォンであってもよい）によって受信される、ユーザ２６の周囲からの音またはノイズであってもよい。抽出された音声シグナル３０中の第１音響シグナル１２の部分を最低限にすると、第１音響入力トランスデューサ１０（外部参照マイクロフォンであってもよい）によって受信される、ユーザ２６の周囲からの音またはノイズが最低限になり、これによって、周囲からのこの音またはノイズは、外部装置４には送信されないだろう。このことは、外部装置のユーザが、補聴装置２のユーザからの音声シグナルを主に受信し、補聴装置２のユーザ２６の環境からの周囲の音またはノイズを受信しないため、利点である。
【００９６】
音声処理ユニット３６は、抽出された音声シグナル３０のスペクトルの内容を体内伝導音声シグナル２４とは異なるスペクトルの内容を有するように形成するためのスペクトル形成ユニット４２を備えていてもよい。第１入力シグナル１４は、スペクトル形成ユニット４２に与えられてもよい。体内伝導音声シグナル２４は、ユーザの体内物質を通って伝導されるため、体内伝導音声シグナル２４は、ユーザ２６の口から発生する音声または発声シグナルのスペクトル的に改変された態様であり得る。したがって、体内伝導音声シグナル２４が、ユーザ２６の口から発生する（すなわち、空気を通って伝導される）音声シグナルに似たスペクトルの内容を有するように、抽出された音声シグナルのスペクトルの内容がこれにしたがって形成されるか、または変えられてもよい。スペクトル形成ユニット４２は、フィルタ、例えば、第３フィルタ４２であってもよく、適応フィルタであってもよく、または適応フィルタではないフィルタであってもよい。スペクトル形成ユニット４２または第３フィルタ４２は、ベースバンドサンプリングレート、および／またはもっと速いレートで駆動してもよい。第１入力シグナル１４は、スペクトル形成ユニット４２に与えられてもよい。
【００９７】
音声処理ユニット３６は、外部装置４に送信される前に、抽出された音声シグナル３０の帯域幅を拡張するように構成された帯域幅拡張ユニット４４を備えていてもよい。第１入力シグナル１４は、帯域幅拡張ユニット４４に与えられてもよい。
【００９８】
音声処理ユニット３６は、ノイズフィルタリング４８、例えば、非常に低い周波数および／または非常に高い周波数のノイズフィルタリング４８を備えていてもよい。
【００９９】
音声処理ユニット３６は、自動利得制御（ＡＧＣ）５０を備えていてもよい。
【０１００】
図６Ｂは、補聴装置２が音声活動検出器４６を備えていてもよいことを模式的に示す。音声活動検出器４６は、図６Ａにおいて、音声処理ユニット３６の一部であってもよい。音声活動検出器４６は、音声処理ユニット３６の電源を入れる／切断するように構成されていてもよい。抽出された音声シグナル３０は、音声活動検出器４６に入力として与えられる。音声活動検出器４６は、フィルタ、例えば、第１フィルタ３４、第２フィルタ４０および／または第３フィルタ４２の任意の適応を可能にするか、および／または不可能にするだろう（図６Ａを参照）。
【０１０１】
図７は、少なくとも１つの外部装置４（図示せず）とのオーディオ通信のための補聴装置２の一例を模式的に示す。補聴装置２は、処理済第１シグナル８を与えるための処理ユニット６を備えている。補聴装置２は、第１音響シグナル１２を、処理済第１シグナル８を与えるための処理ユニット６に対する第１入力シグナル１４に変換するために、処理ユニット６に接続される第１音響入力トランスデューサ１０を備えている。補聴装置２は、第２入力シグナル１８を与えるための第２入力トランスデューサ１６を備えている。補聴装置２は、処理ユニット６に接続された音響出力トランスデューサ２０であって、処理済第１シグナル８をオーディオ出力シグナル２２に変換するための音響出力トランスデューサ２０を備えている。第２入力シグナル１８は、第２入力トランスデューサ１６において、音響出力トランスデューサ２０からのオーディオ出力シグナル２２と、補聴装置２のユーザ２６からの体内伝導音声シグナル２４を少なくとも変換することによって与えられる。補聴装置２は、音声シグナル３０を抽出するためのユーザ音声抽出ユニット２８（図示せず）を備えており、ここで、ユーザ音声抽出ユニット２８は、処理済第１シグナル８を受信するために処理ユニット６に接続しており、第２入力シグナル１８を受信するために第２入力トランスデューサ１６に接続している。ユーザ音声抽出ユニット２８は、第２入力シグナル１８と処理済第１シグナル８に基づいて、音声シグナル３０を抽出するように構成されている。音声シグナル３０は、少なくとも１つの外部装置４に送信されるように構成されている。
【０１０２】
オーディオ出力シグナル２２は、第２入力トランスデューサ１６に与えられる前に外耳道を通って伝えられ、それによって外耳道応答５６を与えると考えられてもよい。
【０１０３】
第１の送信されたシグナル３２は、少なくとも１つの外部装置４および／または別の外部装置から補聴装置２に与えられる。第１の送信されたシグナル３２は、音声シグナル３０を抽出するためにユーザ音声抽出ユニット２８に与えられる処理済第１シグナル８および第２入力シグナル１８に含まれていてもよい。第１の送信されたシグナル３２は、ストリーミングされたシグナルであってもよい。
【０１０４】
第１の送信されたシグナル３２は、補聴装置２に与えられ、例えば、処理ユニットの前に、図２に示されるように処理ユニットに、および／または処理ユニットの後に付加されてもよい。一例において、第１の送信されたシグナル３２は、図３、図４および図５に示されるように、処理ユニット６の後、音響出力トランスデューサ２０およびユーザ音声抽出ユニット２８の前に付加される。
【０１０５】
抽出された音声シグナル３０は、第２入力トランスデューサ１６において、第１音響シグナル１２をさらに変換することによって与えられる。したがって、第１音響入力トランスデューサ１０において第１音響シグナル１２を受信する以外に、第１音響シグナル１２は、第２入力トランスデューサ１６でも受信される。したがって、第１音響シグナル１２は、第２入力シグナル１８の一部を形成していてもよく、したがって、第１音響シグナル１２は、抽出された音声シグナル３０の一部を形成していてもよい。
【０１０６】
ユーザ音声抽出ユニット２８（図示せず）は、第１フィルタ３４を備えている。
【０１０７】
音声処理ユニット３６(図示せず)は、抽出された音声シグナル３０中に存在する第１音響シグナル１２の任意の部分を最低限にするように構成された第２フィルタ４０を少なくとも備えている。第１音響シグナル１２は、第１音響入力トランスデューサ１０（外部参照マイクロフォンであってもよい）によって受信される、ユーザ２６の周囲からの音またはノイズであってもよい。抽出された音声シグナル３０中の第１音響シグナル１２の部分を最低限にすると、第１音響入力トランスデューサ１０（外部参照マイクロフォンであってもよい）によって受信される、ユーザ２６の周囲からの音またはノイズが最低限になり、これによって、周囲からのこの音またはノイズは、外部装置４には送信されないだろう。このことは、外部装置のユーザが、補聴装置２のユーザからの音声シグナルを主に受信し、補聴装置２のユーザ２６の環境からの周囲の音またはノイズを受信しないため、利点である。
【０１０８】
第１フィルタ３４は、アップデートされてもよい。第２フィルタ４０は、アップデートされてもよい。第２フィルタ４０のアップデートは、複数の態様、例えば、シグナル、モデル、制約などに依存してもよい。
【０１０９】
第１フィルタ３４および／または第２フィルタ４０は、適応フィルタであってもよい。第２フィルタ４０が適応フィルタであるとき、第１フィルタ３４は、同様に適応フィルタである必要がある場合がある。しかし、第１フィルタ３４は、第２フィルタ４０が適応フィルタではないが、適応フィルタであってもよい。
【０１１０】
第１フィルタ３４および／または第２フィルタ４０の適応は、オンラインおよび／またはオフラインで行うことができるため、適応は、オフライン適応フィッティングまたは最適化であってもよい。
【０１１１】
図８は、体内伝導音声シグナル２４（図１〜７を参照）が、ユーザの口および喉から発生し、ユーザの骨構造５８、軟骨、軟組織、組織６０および／または皮膚を通って、ユーザの耳５２に送信され、第２入力トランスデューサ（図示せず、図１〜７を参照）によって検知されるように構成されることを模式的に示す。体内伝導音声シグナル２４は、外耳道の組織部分６０からの組織によって伝導されるシグナル部分２４ａと、外耳道の骨部分５８からの骨によって伝導されるシグナル部分２４ｂとを含んでいてもよい。鼓膜６２も示されている。体内伝導音声シグナルは、音響シグナルであってもよい。体内伝導音声シグナルは、振動シグナルであってもよい。体内伝導音声シグナルは、音響シグナルと振動シグナルの組み合わせであるシグナルであってもよい。体内伝導音声シグナルは、ユーザの体内と、空気の両方を通って伝導してもよい。体内伝導音声シグナルは、骨を伝導するシグナル、例えば、純粋な骨を伝導するシグナルではない。体内伝導シグナルは、第２入力トランスデューサによって、補聴装置２のユーザの外耳道５４において受信されるべきものである。体内伝導音声シグナルは、音声または発声が作られるユーザの口および喉からユーザの体内を通って伝わる。体内伝導音声シグナルは、ユーザの骨、骨構造、軟骨、軟組織、組織および／または皮膚によって、ユーザの体内を通って伝わる。体内伝導音声シグナルは、体内物質を通って少なくとも部分的に伝わり、したがって、体内伝導音声シグナルは、少なくとも部分的に振動シグナルであってもよい。ユーザの体内の空気腔も存在していてもよいため、体内伝導音声シグナルは、少なくとも部分的に空気によって伝わるシグナルであってもよく、したがって、体内伝導音声シグナルは、少なくとも部分的に音響シグナルであってもよい。
【０１１２】
第２入力トランスデューサは、補聴装置２のユーザの外耳道５４の中に配置されるように構成される。第２入力トランスデューサは、外耳道５４の中に完全に配置されるように構成されていてもよい。
【０１１３】
第２入力トランスデューサは、振動センサおよび／または骨伝導センサおよび／または運動センサおよび／または音響センサであってもよい。第２入力トランスデューサは、１つ以上のセンサの組み合わせ、例えば、振動センサ、骨伝導センサ、運動センサおよび音響センサの１つ以上の組み合わせであってもよい。一例として、第２入力トランスデューサは、ユーザの外耳道５４の中に配置されるように構成された振動センサおよび音響入力トランスデューサ、例えばマイクロフォンであってもよい。
【０１１４】
図９は、補聴装置における方法のフローチャートを模式的に示す。補聴装置におけるこの方法は、補聴装置と少なくとも１つの外部装置とのオーディオ通信のためのものである。補聴装置は、処理ユニットと、第１音響入力トランスデューサと、第２入力トランスデューサと、音響出力トランスデューサと、ユーザ音声抽出ユニットとを備えている。この方法は、以下のものを含む。
【０１１５】
工程８０１において、処理ユニットにおいて、処理済第１シグナルが与えられる。
【０１１６】
工程８０２において、第１音響入力トランスデューサにおいて、第１音響シグナルが第１入力シグナルに変換される。
【０１１７】
工程８０３において、第２入力トランスデューサにおいて、第２入力シグナルが与えられる。
【０１１８】
工程８０４において、音響出力トランスデューサにおいて、処理済第１シグナルがオーディオ出力シグナルに変換される。
【０１１９】
第２入力シグナルは、第２入力トランスデューサにおいて、音響出力トランスデューサからのオーディオ出力シグナルと、補聴装置のユーザからの体内伝導音声シグナルを少なくとも変換することによって与えられる。
【０１２０】
工程８０５において、ユーザ音声抽出ユニットにおいて、第２入力シグナルおよび処理済第１シグナルに基づいて、音声シグナルが抽出される。
【０１２１】
工程８０６において、抽出された音声シグナルが、少なくとも１つの外部装置に送信される。
【０１２２】
特定の特徴を示し、記載してきたが、これらの特徴は、特許請求の範囲に記載された発明を限定することを意図していないことが理解され、特許請求の範囲に記載された発明の精神および範囲から逸脱することなく種々の変更および改変が行われてもよいことが当業者に明らかになるだろう。したがって、明細書および図面は、限定するという観点ではなく、実例であると考えるべきである。特許請求の範囲に記載された発明は、全ての代替例、改変および均等物を包含することを意図している。
【０１２３】
本開示のさらなる項目は、以下に関連する。
［項目１］
少なくとも１つの外部装置とのオーディオ通信のための補聴装置であって、前記補聴装置は、
処理済第１シグナルを与えるための処理ユニットと、
前記処理ユニットに接続される第１音響入力トランスデューサであって、第１音響シグナルを、前記処理済第１シグナルを与えるための前記処理ユニットに対する第１入力シグナルに変換するように構成される、前記第１音響入力トランスデューサと、
第２入力シグナルを与えるための第２入力トランスデューサと、
前記処理ユニットに接続される音響出力トランスデューサであって、前記処理済第１シグナルを前記音響出力トランスデューサのオーディオ出力シグナルに変換するように構成される、前記音響出力トランスデューサであって、
前記第２入力シグナルは、前記第２入力トランスデューサにおいて、前記音響出力トランスデューサからの前記オーディオ出力シグナルと、前記補聴装置のユーザからの体内伝導音声シグナルを少なくとも変換することによって与えられる、前記音響出力トランスデューサと、
音声シグナルを抽出するためのユーザ音声抽出ユニットであって、前記処理済第１シグナルを受信するために前記処理ユニットに接続されているとともに、前記第２入力シグナルを受信するために前記第２入力トランスデューサに接続されている、前記ユーザ音声抽出ユニットと、を備えており、
前記ユーザ音声抽出ユニットは、前記第２入力シグナルと前記処理済第１シグナルとに基づいて、前記音声シグナルを抽出するように構成されており、
前記音声シグナルは、少なくとも１つの外部装置に送信されるように構成されている、
補聴装置。
［項目２］
前記体内伝導音声シグナルが、前記ユーザの口および喉から発生し、前記ユーザの骨構造、軟骨、軟組織、組織および／または皮膚を通って前記ユーザの耳に伝わり、前記第２入力トランスデューサによって検知されるように構成される、項目１に記載の補聴装置。
［項目３］
前記第２入力トランスデューサが、前記補聴装置の前記ユーザの外耳道に配置されるように構成されている、項目１または２に記載の補聴装置。
［項目４］
前記第２入力トランスデューサが、振動センサおよび／または骨伝導センサおよび／または運動センサおよび／または音響センサである、項目１から３のいずれか一項に記載の補聴装置。
［項目５］
前記第１音響入力トランスデューサは、前記補聴装置の前記ユーザの外耳道の外側に配置されるように構成され、前記第１音響入力トランスデューサは、前記ユーザの周囲からの音を検出するように構成される、項目１から４のいずれか一項に記載の補聴装置。
［項目６］
第１の送信されたシグナルが、前記少なくとも１つの外部装置から前記補聴装置に与えられ、前記第１の送信されたシグナルは、前記音声シグナルを抽出するための前記ユーザ音声抽出ユニットに与えられる前記処理済第１シグナルおよび前記第２入力シグナルに含まれる、項目１から５のいずれか一項に記載の補聴装置。
［項目７］
前記ユーザ音声抽出ユニットが、前記第２入力シグナルから前記オーディオ出力シグナルをキャンセルするように構成された第１フィルタを備えている、項目１から６のいずれか一項に記載の補聴装置。
［項目８］
前記補聴装置は、抽出された前記音声シグナルを前記少なくとも１つの外部装置に送信する前に、抽出された前記音声シグナルおよび／または前記第１入力シグナルに基づいて、抽出された前記音声シグナルを処理するための音声処理ユニットを備えている、項目１から７のいずれか一項に記載の補聴装置。
［項目９］
前記音声処理ユニットは、抽出された前記音声シグナル中に存在する前記第１音響シグナルの任意の部分を最低限にするように構成された第２フィルタを少なくとも備えている、項目８に記載の補聴装置。
［項目１０］
前記音声処理ユニットは、抽出された前記音声シグナルのスペクトルの内容を前記体内伝導音声シグナルとは異なるスペクトルの内容を有するように形成するためのスペクトル形成ユニットを備えている、項目８または９に記載の補聴装置。
［項目１１］
前記音声処理ユニットは、抽出された前記音声シグナルの帯域幅を拡張するように構成された帯域幅拡張ユニットを備えている、項目８から１０のいずれか一項に記載の補聴装置。
［項目１２］
前記音声処理ユニットは、前記音声処理ユニットの電源を入れる／切断するように構成される音声活動検出器を備えており、抽出された前記音声シグナルは、前記音声活動検出器に入力として与えられる、項目８から１１のいずれか一項に記載の補聴装置。
［項目１３］
抽出された前記音声シグナルは、前記第２入力トランスデューサにおいて、前記第１音響シグナルをさらに変換することによって与えられる、項目１から１２のいずれか一項に記載の補聴装置。
［項目１４］
第１補聴装置と第２補聴装置とを備える両耳用補聴装置システムであって、前記第１補聴装置および／または前記第２補聴装置は、項目１から１３のいずれか一項に記載の補聴装置であり、前記第１補聴装置からの抽出された前記音声シグナルは、第１の抽出された音声シグナルであり、前記第２補聴装置からの抽出された前記音声シグナルは、第２の抽出された音声シグナルであり、前記第１の抽出された音声シグナルおよび／または前記第２の抽出された音声シグナルは、前記少なくとも１つの外部装置に送信されるように構成される、両耳用補聴装置システム。
［項目１５］
補聴装置と少なくとも１つの外部装置との間のオーディオ通信のための前記補聴装置における方法であって、前記補聴装置は、処理ユニットと、第１音響入力トランスデューサと、第２入力トランスデューサと、音響出力トランスデューサと、ユーザ音声抽出ユニットとを備えており、前記方法は、
前記処理ユニットにおいて、処理済第１シグナルを与えることと、
前記第１音響入力トランスデューサにおいて、第１音響シグナルを第１入力シグナルに変換することと、
前記第２入力トランスデューサにおいて、第２入力シグナルを与えることと、
前記音響出力トランスデューサにおいて、前記処理済第１シグナルをオーディオ出力シグナルに変換することであって、
前記第２入力シグナルは、前記第２入力トランスデューサにおいて、前記音響出力トランスデューサからの前記オーディオ出力シグナルと、前記補聴装置のユーザからの体内伝導音声シグナルを少なくとも変換することによって与えられる、前記処理済第１シグナルを前記オーディオ出力シグナルに変換することと、
前記ユーザ音声抽出ユニットにおいて、前記第２入力シグナルおよび前記処理済第１シグナルに基づいて、音声シグナルを抽出することと、
抽出された前記音声シグナルを少なくとも１つの外部装置に送信することと、
を含む、方法。
【符号の説明】
【０１２４】
２      補聴装置
４      外部装置
６      処理ユニット
８      処理済第１シグナル
１０      第１音響入力トランスデューサ
１２      第１音響シグナル
１４      第１入力シグナル
１６      第２入力トランスデューサ
１８      第２入力シグナル
２０      音響出力トランスデューサ
２２      オーディオ出力シグナル
２４      体内伝導音声シグナル
２４ａ      音声シグナルの組織によって伝導されるシグナル部分
２４ｂ      音声シグナルの骨によって伝導されるシグナル部分
２６      補聴装置のユーザ
２８      ユーザ音声抽出ユニット
３０      抽出された音声シグナル
３２      第１の送信されたシグナル
３４      第１フィルタ
３６      音声処理ユニット
３８      周囲の伝搬経路
４０      第２フィルタ
４２      スペクトル整形ユニット
４４      帯域幅拡張ユニット
４６      音声活動検出器
４８      ノイズフィルタリング
５０      自動利得制御（ＡＧＣ）
５２      ユーザの耳
５４      外耳道
５６      外耳道応答
５８      外耳道の骨部分
６０      外耳道の組織部分
６２      鼓膜
８０１      処理済第１シグナルが処理ユニットに与えられる
８０２      第１音響入力トランスデューサにおいて、第１音響シグナルが第１入力シグナルに変換される
８０３      第２入力トランスデューサにおいて、第２入力シグナルが与えられる
８０４      音響出力トランスデューサにおいて、処理済第１シグナルがオーディオ出力シグナルに変換される
８０５      ユーザ音声抽出ユニットにおいて、第２入力シグナルおよび処理済第１シグナルに基づいて、音声シグナルが抽出される
８０６      抽出された音声シグナルが少なくとも１つの外部装置に送信される
【図１】
2018137735.tif 000003
【図２】
2018137735.tif 000004
【図３】
2018137735.tif 000005
【図４】
2018137735.tif 000006
【図５】
2018137735.tif 000007
【図６Ａ】
2018137735.tif 000008
【図６Ｂ】
2018137735.tif 000009
【図７】
2018137735.tif 000010
【図８】
2018137735.tif 000011
【図９】
2018137735.tif 000012
【外国語明細書】
2018137735000001.pdf
2018137735000002.pdf
2018137735000003.pdf
2018137735000004.pdf